(57)【要約】  ハンドオーバ中に新たなパケットデータネットワーク（ＰＤＮ）接続を確立するよう動作可能なユーザ機器（ＵＥ）に対する技術が開示される。ＵＥは、無線リソース制御（ＲＲＣ）接続再設定メッセージを、ハンドオーバ手順中にソース無線基地局から受信し得る。ＲＲＣ接続再設定メッセージは、ＵＥとターゲットＰＤＮゲートウェイ（ＰＧＷ）との間に新たなＰＤＮ接続の確立の要求を含み得る。ＵＥは、ＲＲＣ接続再設定メッセージに含まれる１又は複数のパラメータを用いて、ターゲットＰＧＷとの新たなＰＤＮ接続を確立し得る。ＵＥは、新たなＰＤＮ接続の確立の肯定応答を含むＲＲＣ接続再設定完了メッセージを、ハンドオーバ手順中に、ターゲット無線基地局に送信し得る。
2017532826.tif 000002
【特許請求の範囲】
【請求項１】
ハンドオーバ中に新たなパケットデータネットワーク（ＰＤＮ）接続を確立するためのユーザ機器（ＵＥ）の装置であって、
前記ＵＥとターゲットＰＤＮゲートウェイ（ＰＧＷ）との間に前記新たなＰＤＮ接続の確立の要求を含む無線リソース制御（ＲＲＣ）接続再設定メッセージを、ハンドオーバ手順中にソース無線基地局から受信し、
前記ＲＲＣ接続再設定メッセージに含まれる１又は複数のパラメータを用いて、前記ＵＥで、前記ターゲットＰＧＷと前記新たなＰＤＮ接続を確立し、
前記新たなＰＤＮ接続の前記確立の肯定応答を含むＲＲＣ接続再設定完了メッセージを、前記ハンドオーバ手順中に、ターゲット無線基地局に送信する、回路を備える装置。
【請求項２】
前記新たなＰＤＮ接続の確立の前記要求は、前記ＲＲＣ接続再設定メッセージに含まれる非アクセス層（ＮＡＳ）メッセージである、請求項１に記載の装置。
【請求項３】
前記新たなＰＤＮ接続の前記確立の前記肯定応答は、前記ＲＲＣ接続再設定完了メッセージに含まれる非アクセス層（ＮＡＳ）メッセージである、請求項１又は２に記載の装置。
【請求項４】
前記ＲＲＣ接続再設定メッセージに含まれる前記１又は複数のパラメータは、割り当てられたインターネットプロトコル（ＩＰ）アドレス又はプレフィックス、進化型パケットシステム（ＥＰＳ）ベアラアイデンティティ、前記ＥＰＳベアラのサービス品質（ＱｏＳ）、又はアクセスポイント名（ＡＰＮ）のうちの少なくとも１つを含む、請求項１から３のいずれか１項に記載の装置。
【請求項５】
前記ＲＲＣ接続再設定メッセージに含まれる前記１又は複数のパラメータは、プロトコル設定オプション（ＰＣＯ）パラメータを含む、請求項１から４のいずれか１項に記載の装置。
【請求項６】
前記回路は更に、
前記ソース無線基地局と配置されるＰＧＷ機能を有するソースローカルゲートウェイ（ＬＧＷ）との前のＰＤＮ接続を維持する、又は
スタンドアロンソースＰＧＷとの前のＰＤＮ接続を維持する、請求項１から５のいずれか１項に記載の装置。
【請求項７】
サービス要求中に新たなパケットデータネットワーク（ＰＤＮ）接続を確立するためのユーザ機器（ＵＥ）の装置であって、
前記ＵＥとターゲットＰＤＮゲートウェイ（ＰＧＷ）との間に前記新たなＰＤＮ接続の確立の要求を含む無線リソース制御（ＲＲＣ）接続再設定メッセージを、サービス要求手順中に無線基地局から受信し、
前記ＲＲＣ接続再設定メッセージに含まれる１又は複数のパラメータを用いて、前記ＵＥで、前記新たなＰＤＮ接続を確立し、
前記新たなＰＤＮ接続の前記確立の肯定応答を含むＲＲＣ接続再設定完了メッセージを、前記サービス要求手順中に、前記無線基地局に送信する、１又は複数のプロセッサを備える装置。
【請求項８】
前記１又は複数のプロセッサは更に、非アクセス層（ＮＡＳ）サービス要求メッセージを、前記無線基地局に送信することにより、前記サービス要求手順をトリガする、請求項７に記載の装置。
【請求項９】
前記新たなＰＤＮ接続の確立の前記要求は、前記ＲＲＣ接続再設定メッセージに含まれる非アクセス層（ＮＡＳ）メッセージである、請求項７又は８に記載の装置。
【請求項１０】
前記新たなＰＤＮ接続の前記確立の前記肯定応答は、前記ＲＲＣ接続再設定完了メッセージに含まれる非アクセス層（ＮＡＳ）メッセージである、請求項７から９のいずれか１項に記載の装置。
【請求項１１】
前記ＲＲＣ接続再設定メッセージに含まれる前記１又は複数のパラメータは、割り当てられたインターネットプロトコル（ＩＰ）アドレス又はプレフィックス、進化型パケットシステム（ＥＰＳ）ベアラアイデンティティ、前記ＥＰＳベアラのサービス品質（ＱｏＳ）、又はアクセスポイント名（ＡＰＮ）のうちの少なくとも１つを含む、請求項７から１０のいずれか１項に記載の装置。
【請求項１２】
ハンドオーバ中にユーザ機器（ＵＥ）に対する新たなパケットデータネットワーク（ＰＤＮ）接続の確立を容易にするためのモビリティ管理エンティティ（ＭＭＥ）の装置であって、
ハンドオーバ手順をトリガするハンドオーバ要請メッセージを、前記ＭＭＥで、ソース無線基地局から受信し、
前記ＵＥとターゲットＰＤＮゲートウェイ（ＰＧＷ）との間に前記新たなＰＤＮ接続を作成する要求を含むセッション作成要求メッセージを、前記ハンドオーバ手順中に、前記ターゲットＰＧＷに向けて送信し、
前記新たなＰＤＮ接続に対する１又は複数のパラメータを含むセッション作成応答メッセージを、前記ハンドオーバ手順中に、前記ターゲットＰＧＷから受信し、
前記新たなＰＤＮ接続に対する複数の無線リソースに対する要求を含むハンドオーバ要求メッセージを、前記ＭＭＥからターゲット無線基地局に送信し、
ターゲット要求メッセージの肯定応答を、前記ターゲット無線基地局から受信し、
前記新たなＰＤＮ接続に対する前記１又は複数のパラメータを含むハンドオーバコマンドメッセージを、前記ソース無線基地局に送信する１又は複数のプロセッサを備え、前記ＵＥが、前記ターゲットＰＧＷと前記新たなＰＤＮ接続を確立することを可能とすべく、前記ソース無線基地局は、前記新たなＰＤＮ接続に対する前記１又は複数のパラメータを前記ＵＥに転送する、装置。
【請求項１３】
前記新たなＰＤＮ接続に対する前記１又は複数のパラメータは、前記ハンドオーバコマンドメッセージに含まれる非アクセス層（ＮＡＳ）メッセージの一部である、請求項１２に記載の装置。
【請求項１４】
前記新たなＰＤＮ接続の前記１又は複数のパラメータは、割り当てられたインターネットプロトコル（ＩＰ）アドレス又はプレフィックス、進化型パケットシステム（ＥＰＳ）ベアラアイデンティティ、前記ＥＰＳベアラのサービス品質（ＱｏＳ）、又はアクセスポイント名（ＡＰＮ）のうちの少なくとも１つを含む、請求項１２又は１３に記載の装置。
【請求項１５】
前記１又は複数のプロセッサは更に、前記新たなＰＤＮ接続の前記確立の肯定応答を含むハンドオーバ通知メッセージを、前記ターゲット無線基地局から受信する、請求項１２から１４のいずれか１項に記載の装置。
【請求項１６】
ハンドオーバ中にユーザ機器（ＵＥ）に対する新たなパケットデータネットワーク（ＰＤＮ）接続の確立を容易にするためのソース無線基地局の装置であって、
前記ＵＥとターゲットＰＤＮゲートウェイ（ＰＧＷ）との間に前記新たなＰＤＮ接続を作成する要求を含むハンドオーバ要求メッセージを、ターゲット無線基地局に送信し、
前記新たなＰＤＮ接続に対する１又は複数のパラメータを含むハンドオーバ要求肯定応答メッセージを、前記ターゲット無線基地局から受信し、
前記ＵＥと前記ターゲットＰＧＷとの間に前記新たなＰＤＮ接続の確立の要求を含む無線リソース制御（ＲＲＣ）接続再設定メッセージを、前記ＵＥに送信する、回路を備える装置。
【請求項１７】
前記回路は更に、前記ＵＥが、前記ＲＲＣ接続再設定メッセージに含まれる１又は複数のパラメータを用いて、前記ターゲットＰＧＷと新たなＰＤＮ接続を作成し、アクセス層（ＡＳ）メッセージを用いて、前記新たなＰＤＮ接続の前記作成の肯定応答を、前記ターゲット無線基地局に送信することを可能とすべく、前記新たなＰＤＮ接続の確立の前記要求をＵＥに送信する、請求項１６に記載の装置。
【請求項１８】
前記ソース無線基地局は、ＰＧＷ機能を含むソースローカルゲートウェイ（ＬＧＷ）と配置される、請求項１６又は１７に記載の装置。
【請求項１９】
前記回路は更に、リリースリソースメッセージを、前記ターゲット無線基地局から受信し、前記リリースリソースメッセージは、前記ＵＥと、ソース無線基地局と配置されるＰＧＷ機能を有するソースローカルゲートウェイ（ＬＧＷ）との間に前のＰＤＮ接続を維持する情報を含む、請求項１６から１８のいずれか1項に記載の装置。
【請求項２０】
前記新たなＰＤＮ接続を作成する前記要求は、前記ＲＲＣ接続再設定メッセージに含まれる、請求項１６から１９のいずれか１項に記載の装置。
【請求項２１】
前記ＲＲＣ接続再設定メッセージに含まれる前記１又は複数のパラメータは、割り当てられたインターネットプロトコル（ＩＰ）アドレス又はプレフィックス、進化型パケットシステム（ＥＰＳ）ベアラアイデンティティ、前記ＥＰＳベアラのサービス品質（ＱｏＳ）、又はアクセスポイント名（ＡＰＮ）のうちの少なくとも１つを含む、請求項１６から２０のいずれか１項に記載の装置。
【発明の詳細な説明】
【技術分野】
【０００１】
無線移動通信技術は、様々な規格及びプロトコルを用いて、ノード（例えば、送信局）と無線デバイス（例えば、モバイルデバイス）との間でデータを送信する。いくつかの無線デバイスは、ダウンリンク（ＤＬ）送信に直交周波数分割多重アクセス（ＯＦＤＭＡ）を用いて、アップリンク（ＵＬ）送信にシングルキャリア周波数分割多重アクセス（ＳＣ‐ＦＤＭＡ）を用いて通信する。信号送信のために直交周波数分割多重（ＯＦＤＭ）を用いる規格及びプロトコルには、第３世代パートナシッププロジェクト（３ＧＰＰ）ロングタームエボリューション（ＬＴＥ）、業界団体にＷｉＭＡＸ（登録商標）（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）として一般的に知られているＩｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）８０２．１６規格（例えば、８０２．１６ｅ、８０２．１６ｍ）、及び、業界団体にはＷｉＦｉとして一般的に知られているＩＥＥＥ  ８０２．１１規格が含まれる。
【０００２】
３ＧＰＰ無線アクセスネットワーク（ＲＡＮ）ＬＴＥシステムにおいて、ノードは、ユーザ機器（ＵＥ）として知られる無線デバイスと通信を行うＥｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ‐ＵＴＲＡＮ）Ｎｏｄｅ  Ｂ（進化型ノードＢ、拡張ノードＢ、ｅＮｏｄｅＢ、又はｅＮＢとしても一般的に示される）と、Ｒａｄｉｏ  Ｎｅｔｗｏｒｋ  Ｃｏｎｔｒｏｌｌｅｒ（ＲＮＣ）との組み合わせであり得る。ダウンリンク（ＤＬ）送信は、ノード（例えば、ｅＮｏｄｅＢ）から無線デバイス（例えば、ＵＥ）への通信であり得、アップリンク（ＵＬ）送信は、無線デバイスからノードへの通信であり得る。
【０００３】
同種のネットワークにおいて、マクロノードとも呼ばれるノードは、セル内の無線デバイスに基本的な無線カバレッジを提供し得る。セルは、無線デバイスがマクロノードと通信するよう動作可能なエリアであり得る。異種のネットワーク（ＨｅｔＮｅｔ）が、無線デバイスの増加した使用及び機能に起因して、マクロノードにかかる増大するトラフィック負荷を処理するのに用いられ得る。ＨｅｔＮｅｔは計画された高電力マクロノード（又はマクロｅＮＢ）の層を含み得、あまりよく計画されていない、あるいは全く調整されていないやり方であっても、マクロノードのカバレッジエリア（セル）内に配置され得るより低い電力のノード（スモールｅＮＢ、マイクロｅＮＢ、ピコｅＮＢ、フェムトｅＮＢ、又はホームｅＮＢ［ＨｅＮＢ］）の層がそれに重なる。より低い電力のノード（ＬＰＮ）は概して、「低電力ノード」、スモールノード、又はスモールセルと称され得る。
【０００４】
ＬＴＥでは、データはｅＮｏｄｅＢからＵＥに、物理ダウンリンク共有チャネル（ＰＤＳＣＨ）を介して送信され得る。物理アップリンク制御チャネル（ＰＵＣＣＨ）は、データが受信されたことを通知するのに用いられ得る。ダウンリンク及びアップリンクチャネル、又はダウンリンク及びアップリンク送信は、時分割複信（ＴＤＤ）又は周波数分割複信（ＦＤＤ）を用い得る。
【図面の簡単な説明】
【０００５】
次に続く詳細な説明を、本開示の例、特徴として共に示す添付の図面と共に併用することで、本開示の特徴及び利点が明らかになるであろう。
【０００６】
【図１】一例に係る、調整され選択されたインターネットプロトコル（ＩＰ）トラフィックオフロード（ＣＳＩＰＴＯ）の手順を示す。
【０００７】
【図２】一例に係る、調整され選択されたインターネットプロトコル（ＩＰ）トラフィックオフロード（ＣＳＩＰＴＯ）の手順を示す。
【０００８】
【図３】一例に係る、第１のパケットデータネットワーク（ＰＤＮ）接続を用いるユーザ機器（ＵＥ）に対する最初のトラフィックフロー、及びＵＥモビリティに基づいてトリガされる第２のＰＤＮ接続を用いるＵＥに対する修正されたトラフィックフローを示す。
【０００９】
【図４】一例に係る、第１のパケットデータネットワーク（ＰＤＮ）接続を用いるユーザ機器（ＵＥ）に対する最初のトラフィックフロー、及びＵＥモビリティに基づいてトリガされる第２のＰＤＮ接続を用いるＵＥに対する修正されたトラフィックフローを示す。
【００１０】
【図５】一例に係る、第１のパケットデータネットワーク（ＰＤＮ）接続を用いるユーザ機器（ＵＥ）に対する最初のトラフィックフロー、及びＵＥモビリティに基づいてトリガされる第２のＰＤＮ接続を用いるＵＥに対する修正されたトラフィックフローを示す。
【００１１】
【図６】一例に係る、第１のパケットデータネットワーク（ＰＤＮ）接続を用いるユーザ機器（ＵＥ）に対する最初のトラフィックフロー、及びＵＥモビリティに基づいてトリガされる第２のＰＤＮ接続を用いるＵＥに対する修正されたトラフィックフローを示す。
【００１２】
【図７】一例に係る、ユーザ機器（ＵＥ）に対するパケットデータネットワーク（ＰＤＮ）接続確立を含むハンドオーバ手順を示す。
【００１３】
【図８】一例に係る、ユーザ機器（ＵＥ）に対するパケットデータネットワーク（ＰＤＮ）接続確立を含むサービス要求手順を示す。
【００１４】
【図９】一例に係る、ユーザ機器（ＵＥ）に対するパケットデータネットワーク（ＰＤＮ）接続確立を含むハンドオーバ手順を示す。
【００１５】
【図１０】一例に係る、ハンドオーバ中に新たなパケットデータネットワーク（ＰＤＮ）接続を確立するよう動作可能なユーザ機器（ＵＥ）の機能を示す。
【００１６】
【図１１】一例に係る、サービス要求中に新たなパケットデータネットワーク（ＰＤＮ）接続を確立するよう動作可能なユーザ機器（ＵＥ）の機能を示す。
【００１７】
【図１２】一例に係る、ハンドオーバ中にユーザ機器（ＵＥ）に対する新たなパケットデータネットワーク（ＰＤＮ）接続の確立を容易にするよう動作可能なモビリティ管理エンティティ（ＭＭＥ）の機能を示す。
【００１８】
【図１３】一例に係る、ハンドオーバ中にユーザ機器（ＵＥ）に対する新たなパケットデータネットワーク（ＰＤＮ）接続の確立を容易にするよう動作可能なソースｅＮＢ（ｅＮＢ）の機能を示す。
【００１９】
【図１４】一例に係る、無線デバイス（例えば、ＵＥ）の図を示す。
【００２０】
ここで、示される例示的な実施形態が参照され、それを説明するのに特定の用語が本明細書で用いられる。それでもなお、それにより技術の範囲を限定することが意図されていないことが理解されよう。
【発明を実施するための形態】
【００２１】
本技術が開示及び説明される前に、この技術は、本明細書に開示される特定の構造、又は材料に限定されないが、当業者が認識するように、それらの同等物にまで拡大されることを理解されたい。本明細書で利用される用語は、特定の例を説明する目的のみに用いられ、限定することは意図されていないことも理解されるべきである。異なる図面における同じ参照番号は、同じ要素を表す。フローチャート及びプロセスに提供される数字は、作用及び動作を示す上で明確性のために提供されるのであって、必ずしも特定の順序又はシーケンスを示さない。
【００２２】
［例示的実施形態］
技術の実施形態の最初の概要が以下に提供され、そして特定の技術の実施形態が後で更に詳細に説明される。この最初の要約は、技術をより速く理解する上で読み手の助けとなることを意図するものであるが、その技術の重要な特徴又は不可欠の特徴を特定することを意図するものではなく、特許請求される主題の範囲を限定することを意図するものでもない。
【００２３】
３ＧＰＰ  ＬＴＥシステムは、無線基地局（又はｅＮＢ）、モビリティ管理エンティティ（ＭＭＥ）、サービングゲートウェイ（ＳＧＷ）、及びパケットデータネットワーク（ＰＤＮ）ゲートウェイ（ＰＧＷ）を含み得る。ＭＭＥは、制御プレーンエンティティであって、一方でＳＧＷ及びＰＤＮゲートウェイは概して、ユーザプレーンエンティティである。３ＧＰＰリリース８は、ネットワークアーキテクチャの単純化、特に、フラットアーキテクチャを定義することを目的とする。この目標は、トラバースされたノードの数が４つある２Ｇ／３Ｇアーキテクチャと比較して、ユーザトラフィックが最大３つのユーザプレーンノード（ｅＮＢ、ＳＧＷ及びＰＤＮゲートウェイ）をトラバースするとしてある程度まで達成された。インターネットプロトコル（ＩＰ）ベースのパケットデータネットワーク（ＰＤＮ）へのアクセスを得るために、ユーザ機器（ＵＥ）は、ＰＤＮゲートウェイとのＰＤＮ接続を確立し得る。ＵＥの視点から、ＰＤＮ接続は、ＩＰインタフェースと同等であり得る。ＰＤＮ接続と関連付けられるＩＰアドレス／プレフィックスは、モビリティアンカーとして機能し得るＰＤＮゲートウェイにより割り当てられ得る。換言すると、一方の位置からもう一方へのＵＥのモビリティに関わらず、ＩＰネットワーククラウドへの入力ポイントはＰＤＮゲートウェイである。
【００２４】
後の３ＧＰＰリリースにおいて、ユーザトラフィックオフロードに対して特徴が定義された。この特徴は、選択的ＩＰトラフィックオフロード（ＳＩＰＴＯ）と定義され得る。３ＧＰＰリリース１０において、ＳＩＰＴＯは、ＵＥの現在位置により近くに位置付けされる新たなＰＤＮゲートウェイを再割り当てすることを可能とする。ＳＩＰＴＯは、ＵＥにリアタッチすることを促す理由値でＵＥをデタッチすることを含み得、そしてＵＥは、その後でネットワークにリアタッチする。ＵＥの現在位置により近い新たなＰＤＮゲートウェイが選択され得る。ＳＩＰＴＯの１つの利益は、ＰＤＮ接続が効率化され得ることである。ＰＤＮ接続は、ＵＥをＰＤＮゲートウェイに接続するレイヤ２構成、又はトンネルである。ＰＤＮ接続は、ＵＥとＰＤＮゲートウェイとの間のレイヤ２リンクと見なされ得る。ＰＤＮ接続は、ＵＥを、ＰＤＮゲートウェイにあるレイヤ３入力ポイントに接続し得る。換言すると、ＵＥは、ＰＤＮゲートウェイを介して、レイヤ３ＩＰクラウドに接続し得る。
【００２５】
ＵＥがその最初の位置から離れるにつれ、トラフィックルーティングは最適ではあり得ない。というのは、トラフィックは、ＰＤＮ接続であるレイヤ２トンネルを介して、レイヤ３ＩＰクラウドに提供される前に、最初のＰＤＮゲートウェイにバックホールされなければならないからである。この手順は、ＵＥが移動するにつれＰＤＮゲートウェイを再割り当てすることにより効率化され得る。ＰＤＮゲートウェイを再割り当てする上での１つの問題は、ＰＤＮゲートウェイを再割り当てする度に、いくつかのサービスの連続性をブレークし得る新たなＩＰアドレスが割り当てられることである。３ＧＰＰリリース１０は、ＰＤＮゲートウェイはコアネットワーク内にまだ存在する間に、ＵＥが移動するにつれＰＤＮゲートウェイ上においてこの再割り当てを可能とする。
【００２６】
３ＧＰＰリリース１２は、ＳＩＰＴＯの特徴を含み、ローカルネットワークでのＳＩＰＴＯ（又はＳＩＰＴＯ@ＬＮ）と称される。この特徴は、ネットワークエッジの近くに位置付けられるＰＤＮゲートウェイの選択を可能とする。１つの構成において、ＰＤＮゲートウェイは、ｅＮＢと配置され得る。ＰＤＮゲートウェイがｅＮＢと配置される場合、トラフィックは、ＳＧＷ機能を介して進むことなく、ｅＮＢ機能から配置されたＰＤＮ機能に直接ルーティングされ得る。
【００２７】
トラフィックオフロード特徴、又はＳＩＰＴＯは、特定のトラフィックタイプ（例えば、低値のインターネットトラフィック）を、ＥＰＳのユーザプレーンから従来のＩＰルーティングされたネットワーク上へとオフロードすることを可能とし得る。トラフィックオフロードポイントがネットワークエッジに近いほど、より安価な伝送インフラストラクチャ上へのオフロードに起因して、コスト削減の可能性がより増大する。しかしながら、ネットワークエッジに近いトラフィックオフロードとＵＥモビリティとの間に明らかな矛盾があり、ユーザエクスペリエンスに悪影響を有し得る。例えば、ＳＩＰＴＯ及びＳＩＰＴＯ@ＬＮの両方は、ブレークビフォアメークの特徴である。換言すると、古いＰＤＮ接続は、新たなＰＤＮ接続が確立される前にリリースされ得る。その結果、ＰＤＮゲートウェイがネットワークエッジのより近くに存在するほど、ＩＰアドレスの変更に起因したサービスブレークの頻度が増え得る。
【００２８】
図１は、例示的な調整され選択されたインターネットプロトコル（ＩＰ）トラフィックオフロード（ＣＳＩＰＴＯ）の手順を示す。３ＧＰＰリリース１３において、ＣＳＩＰＴＯは、ネットワークエッジにより近いトラフィックオフロードを有するＵＥモビリティをリコンサイルすることを目的とする。ＣＳＩＰＴＯは、メークビフォアブレーク動作を可能とし得、それにより新たなＰＤＮ接続は、古いＰＤＮ接続がリリースされる前に確立される。メークビフォアブレーク動作は、「アプリケーション層」のハンドオーバを実行するアプリケーションをサポートすることにより活用され得る。１つの例において、図１に示されるＣＳＩＰＴＯ手順は、ＰＧＷ機能（ＬＧＷと称される）がｅＮＢと配置されるＳＩＰＴＯ@ＬＮに適用しない。
【００２９】
ＣＳＩＰＴＯは、ＳＩＰＴＯのメークビフォアブレークの変形例である。３ＧＰＰリリース１０におけるＳＩＰＴＯの特徴は、前に説明されたように、ブレークビフォアメークの特徴である。換言すると、ＵＥは、新たなＰＤＮ接続を要求する前に、ブレークをもたらし得る前のＰＤＮ接続をリリースしなければならなかった。一方で、ＣＳＩＰＴＯは、同一のＩＰネットワークへの２つのＰＤＮ接続を可能とし得、２つのＰＤＮ接続は、ＵＥで並列に共存し得る。ＣＳＩＰＴＯは、前のＰＤＮ接続から新たなＰＤＮ接続にトラフィックを混乱なく切り替え又は移行すべくアプリケーションの機能に依存し得る。従って、ＣＳＩＰＴＯにおいて、少なくとも１つのＰＤＮ接続は、常にＵＥに対して存在し得る。
【００３０】
図１に示されるように、無線アクセスネットワーク（ＲＡＮ）１５０内のユーザ機器（ＵＥ）１４０は、最初にはクラスタＡにあり得る。クラスタＡは、セルのクラスタを表し得、各セルは、サービング進化型ノードＢ（ｅＮＢ）、又はサービング無線基地局と関連付けられる。クラスタＡにある間に、ＵＥ１４０は、第１のＰＤＮゲートウェイ１１２（ＰＧＷ１）とパケットデータネットワーク（ＰＤＮ）接続を確立し得る。ＵＥ１４０は、インターネットプロトコル（ＩＰ）アドレスを割り当てられ得、ＩＰ２と称される。ＵＥ１４０がクラスタＡにある場合、ＵＥ１４０に対するサービングゲートウェイ（ＳＧＷ）機能は、ＳＧＷ１  １１４となり得る。図１に示されるように、第１の破線は、最初のＰＤＮ接続（ＳＧＷ１‐ＰＧＷ１）から流れるトラフィックを示し得、ＵＥ１４０がＩＰマルチメディアサブシステム（ＩＭＳ）１５５にアクセスすることを可能とし得る。
【００３１】
ＵＥがクラスタＢのセルに移動するにつれ、ＵＥ１４０に対するＳＧＷ機能がＳＧＷ２  １２４になり得るように、ＳＧＷ機能は再度位置付けされ得る。しかしながら、ＵＥ１４０に対するＰＧＷ機能は、最初に割り当てられたとおり（つまり、ＰＧＷ１  １１２）であり得る。ＵＥがクラスタＢにある場合、トラフィックはＳＧＷ２  １２４を介して進み得、そして、Ｓ５インタフェースを介してＰＧＷ１  １１２にバックホールされ得る。この時点で、トラフィックはＩＰドメインにブレークアウトし得る。加えて、ＵＥ１４０がクラスタＢにある場合、同一のＩＰアドレス（つまり、ＩＰ２）が、ＵＥ１４０に割り当てられ得る。このシナリオにおいて、ＵＥ１４０はＰＧＷ２  １２２により近くに移動しても、ＵＥのトラフィックは、前のＰＤＮ接続を介してまだフローし得る。図１に示されるように、第２の破線は、ＵＥ１４０がＩＭＳ１５５にアクセスすることを可能とし得るＳＧＷ再度位置付け（ＳＧＷ２‐ＰＧＷ１）後の最初のＰＤＮ接続から流れるトラフィックを示し得る。
【００３２】
ＣＳＩＰＴＯでもって、モビリティ管理エンティティ（ＭＭＥ）１１０は、ＵＥ１４０に、ＰＤＮ接続を効率化する可能性を示し得る。ＭＭＥ１１０は、進化型パケットコア（ＥＰＣ）１６０に位置付けされ得る。ＭＭＥ１１０は、ＵＥ１４０がクラスタＢに移動した場合に、ＵＥ１４０に指示を送信し得る。ＰＤＮ接続を効率的にすることは、ＰＤＮ接続に関してより最適化されたトラフィックフローをもたらし得る。指示に基づいて、ＵＥ１４０は新たなＰＤＮ接続を要求し得る。新たなＰＤＮ接続は、ＵＥのクラスタＢにおける現在位置により近いＰＤＮゲートウェイ（つまり、ＰＧＷ２）と確立され得る。図１に示されるように、第３の破線は、新たなＰＤＮ接続（ＳＧＷ２‐ＰＧＷ２）から流れるトラフィックを示し得、ＵＥ１４０がＩＭＳ１５５にアクセスすることを可能とし得る。新たなＰＤＮ接続の確立は、ＵＥ１４０が新たなＩＰアドレス（つまり、ＩＰ３）を割り当てられることをもたらし得る。この時点で（つまり、ＵＥ１４０がクラスタＢにある場合）、ＵＥ１４０は、２つのＰＤＮ接続、つまり、ＩＰ２と関連付けられる第１のＰＤＮ接続、及びＩＰ３と関連付けられる第２のＰＤＮ接続を並列に有し得る。第１のＰＤＮ接続は、ＳＧＷ２  １２４及びＰＧＷ１  １１２を介して、ＩＭＳ１５５に向けて流れ得る。第２のＰＤＮ接続は、ＳＧＷ２  １２４及びＰＧＷ２  １２２を介して、ＩＭＳ１５５に向けて流れ得る。
【００３３】
アプリケーションの機能に応じて、ＵＥ１４０は、クラスタＡからクラスタＢに移動する場合に、２つのＰＤＮ接続間でＩＰアドレスの変更が発生しても、トラフィックを元のＰＤＮ接続から新たなＰＤＮ接続にシームレスに移行することを可能とし得る。例えば、ＵＥ１４０がビデオ共有のアプリケーションを用いてビデオをダウンロードする場合、ハイパーテキスト転送プロトコル（ＨＴＴＰ）ベースのアダプティブストリーミング技術を用いてエンコードされたビデオは、ＩＰアドレスが変更しても、ＵＥ１４０のようなビデオストリーミングクライアントが、ビデオをストリーミングし続けることを可能とし得る。別の例において、ＵＥ１４０が、ＨＴＴＰ（ＤＡＳＨ）コンテンツに対してダイナミックアダプティブストリーミングをストリーミングする場合、ＵＥ１４０は、１つのＩＰアドレス（例えば、ＩＰ２）から別のＩＰアドレス（例えば、ＩＰ３）に混乱なく切り替えし得る。トラフィックの全てが新たなＩＰアドレスに移動した場合、ＵＥ１４０は前のＰＤＮ接続をリリースし得る。
【００３４】
同様に、ＵＥ１４０がクラスタＣに移動した場合、ＵＥ１４０に対するＳＧＷ機能がＳＧＷ２  １３４に再度位置付けされ得るように、ＵＥのトラフィックフローは調整され得る。加えて、新たなＰＤＮ接続は、ＵＥのクラスタＣにおけるＵＥの現在位置により近いＰＤＮゲートウェイ（つまり、ＰＧＷ３）と確立され得る。
【００３５】
図２は、例示的な調整され選択されたインターネットプロトコル（ＩＰ）トラフィックオフロード（ＣＳＩＰＴＯ）の手順を示す。この構成において、ユーザ機器（ＵＥ）２７０は、同一のネットワークへのアクセスに対して２つのパケットデータネットワーク（ＰＤＮ）接続を維持し得る。ＵＥ２７０は、インターネットプロトコル（ＩＰ）アドレスの保存（例えば、ＩＰ１ｃ）を有する第１のＰＤＮ接続、及びＩＰアドレスの保存（例えば、ＩＰ２及び／又はＩＰ３）のない第２のＰＤＮ接続を維持し得る。ＵＥ２７０上で実行されるアプリケーションに対するトラフィックフローは、ＩＰアドレスの保存の必要性に応じて、第１のＰＤＮ接続又は第２のＰＤＮ接続にルーティングされ得る。１つの例において、図２に示されるＣＳＩＰＴＯ手順は、ＩＰ２からＩＰ３に切り替える場合、メークビフォアブレーク動作を可能としない。というのは、３ＧＰＰリリース１２に定義されるように、ＵＥ２７０が進化型ノードＢ２５０（例えば、ホームｅＮＢ）を離れる場合、配置されるローカルゲートウェイ（ＬＧＷ）を有するＳＩＰＴＯ@ＬＮは、古いＰＤＮ接続（つまり、ＩＰ２）が、リリースされることを想定するからである。換言すると、ＵＥ２７０は、ｅＮＢ２５０を離れた後に、第１のＰＤＮ接続（つまり、ＩＰ２）をブレークし、それは第２のＰＤＮ接続（つまり、ＩＰ３）が確立される前に発生し得る。
【００３６】
図２に示されるように、ＵＥ２７０は、最初に２つのＰＤＮ接続から開始し得る。第１のＰＤＮ接続は、従来コアネットワークに存在するパケットデータネットワーク（ＰＤＮ）ゲートウェイ（ＰＧＷ）２１０とであり得る。第１ＰＤＮ接続は、ＩＰ１ｃと表されるＩＰアドレスを用い得、「ｃ」は、連続を表す。ＵＥ２７０上で起動するいくつかのアプリケーションは、ＩＰ１ｃを用い得る。というのは、いくつかのアプリケーションは、ＩＰアドレスの変更を処理できないので、再割り当てされない安定したＰＤＮ接続の機能を保持する必要があるからである。換言すると、ＵＥ２７０が一方のセルからもう一方のセルに移動する場合であっても、この安定なＰＤＮ接続（つまり、ＩＰ１ｃ）は、ＵＥ２７０に対して維持され得る。加えて、ＵＥ２７０は、第１のＰＤＮ接続と並列又は共存する第２のＰＤＮ接続を有し得る。第２のＰＤＮ接続は、ｅＮＢ２５０（例えば、ホームｅＮＢ）と配置されるローカルゲートウェイ（ＬＧＷ）とであり得る。ＬＧＷは、ＵＥ２７０に対してＰＧＷ機能を提供し得る。第２のＰＤＮ接続は、ＩＰ２と表されるＩＰアドレスを用い得る。従って、ＵＥ２７０は、ＵＥ２７０が第１のリモートエンド２４０と接続されることを可能とする第１のＰＤＮ接続（つまり、ＩＰ２）を有し得る。加えて、ＵＥ２７０は、ＵＥ２７０が第２のリモートエンド２３０と接続されることを可能とする第２のＰＤＮ接続（つまり、ＩＰ１ｃ）を有し得る。
【００３７】
ＵＥ２７０が第２のｅＮＢ２６０（例えば、ｅＮＢ２）に向けて移動する場合、ＵＥ２７０は、新たなＰＤＮ接続を要求することが促され得る。第２のｅＮＢ２６０はまた、無線基地局と称され得る。新たなＰＤＮ接続は最終的に、最初の第２のＰＤＮ接続（つまり、ＩＰ２）を、ｅＮＢ２５０と配置されるＬＧＷと置き換え得る。新たなＰＤＮ接続は、ＩＰ３と表されるＩＰアドレスを用い得る。一旦ＵＥ２７０が、ＩＰ２からＩＰ３へと全てのトラフィックを移行すると、ＵＥ２７０は、ＩＰ２と関連付けられるＰＤＮ接続をリリースし得る。しかしながら、ＵＥ２７０は、ＩＰ１ｃと関連付けられるＰＤＮ接続を保持し得る、というのは、この接続は、ＩＰアドレスのブレークを処理することができないトラフィックに用いられ得るからである。図２に示される構成は、（ＩＰ１ｃと関連付けられる）安定なＰＤＮ接続、及び（ＩＰ２からＩＰ３に切り替えられる）ダイナミックＰＤＮ接続を含み得うる。
【００３８】
１つの例において、図２に示される構成は、ＩＰマルチメディアサブシステム（ＩＭＳ）トラフィックに関して有用であり得る。ＩＭＳは、ビデオチャット、音声通話、ビデオ通話などに用いられ得る。トラフィックが無線エッジの近くで最適なやり方においてオフロードされる間に発生するＩＭＳトラフィックに対して、安定な接続（例えば、ＩＰ１ｃ）が用いられ得る。例えば、（例えば、セッション開始プロトコル（ＳＩＰ）シグナリングに対する）シグナリング接続は、安定な接続（例えば、ＩＰ１ｃ）を用い得る。ＩＭＳは、ＵＥ２７０が、ＳＩＰシグナリングに対して１つのＩＰアドレスを、及びユーザプレーントラフィック（例えば、ビデオ通話）に対して別のＩＰアドレスを用いることを可能とし得る。この例において、ＳＩＰシグナリングは、安定な接続（例えば、ＩＰ１ｃ）を用いて実行され得、ユーザプレーントラフィックは、ＵＥモビリティに基づいて、ＩＰ２からＩＰ３に移動され得る。ユーザプレーントラフィックは、ＳＩＰ促進メッセージをＵＥ２７０から送信することにより移動され得る。ＵＥ２７０がリモートの当事者とのピアツーピア（Ｐ２Ｐ）通信（例えば、音声又はビデオ通話）に携わる場合、新たなＩＰアドレスが利用可能（例えば、ＩＰ３）になるとき、ＵＥ２７０は、安定するＰＤＮ接続上において（例えば、ＩＰ１ｃ）、ＳＩＰ促進メッセージを送信し得る。ＳＩＰ促進メッセージは、リモートＩＰアドレス（例えば、ＩＰ２）に伝達され得、リモートＩＰアドレスは、前に進むＵＥ２７０と関連付けられる全ての媒体が別のＩＰアドレス（例えば、ＩＰ３）に移動されることを決定し得る。
【００３９】
ＩＰ２と関連付けられるＰＤＮ接続がＩＰ３と関連付けられるＰＤＮ接続に切り替わる場合、図２に示される構成は、サービスブレークを維持し得る。この場合、ＩＰ２に対するＰＤＮ接続は、ｅＮＢ２５０（例えば、ホームｅＮＢ及び配置されたＬＧＷ）と関連付けられ得る。ＵＥ２７０は、最初にＩＰ２及びＩＰ１ｃを有するＰＤＮ接続を有し得る。ＵＥ２７０は、ｅＮＢ２５０のカバレッジ外、及び第２のｅＮＢ２６０のカバレッジ内に移動し得る。安定なＰＤＮ接続（つまり、ＩＰ１ｃ）は、古典的なハンドオーバを受け得、全てのユーザプレーンパスが第２のｅＮＢ２６０に向けて移動されることをもたらし得る。しかしながら、（ｅＮＢ２５０と配置されたＬＧＷを介して確立される）もう一方のＰＤＮ接続はリリースされ、ＵＥ２７０は、第２のｅＮＢ２６０と別のＰＤＮ接続を要求し得る。従って、ＩＰ２とのＰＤＮ接続は、ＩＰ３とのＰＤＮ接続が確立される前にブレークされ得る。
【００４０】
（ＳＩＰＴＯ@ＬＮで例示されるように）ＬＧＷをｅＮＢ２５０と配置することにより、ＬＧＷを有するｅＮＢ２５０は、統合されたＩＰルータを有するＷｉ−Ｆｉアクセスポイント（ＡＰ）に関連付けられ得る。そのような配置の１つの問題は、ＵＥ２７０が１つのｅＮＢから別のｅＮＢに移動するときにはいつでも、ＵＥのＩＰアドレスが変更され得ることである。このことは、（特定の使用の事例に対してＷｉ−Ｆｉを広く採用されることにより示されるように）ノーマディックモビリティに対する懸念ではないが、セルラネットワークから予期される完全なモビリティサービスに対する問題であると従来見なされていた。しかしながら、ＩＰアドレスの変更は、それほど将来のセルラネットワークに対する懸念ではないと見なされ得る。情報技術（ＩＴ）規格、及び産業全体における最近の進化に伴い、アプリケーションは、より回復力のあるものになり、ＩＰアドレスの変更を乗り切るよう学習するようになっている。例えば、ピアツーピアアプリケーションは、ＳＩＰのようなアプリケーション層シグナリングを用いることにより、ＩＰアドレスの変更を処理し得る。ピアツーピアアプリケーションは、音声又はビデオ通話、ＩＭＳベースのマルチメディアテレフォニサービスなどを含み得る。クライアントサーバモード（例えば、ＤＡＳＨアプリケーションのようなＨＴＴＰベースのストリーミングアプリケーション）において動作するアプリケーションは、ＩＰアドレスの変更を処理し得る。クライアントサーバモードにおいて動作するアプリケーションは、コンテンツセグメントのグローバル一意識別に依存することによりＩＰアドレス変更を処理し得る。加えて、トランスポート層プロトコル（例えば、マルチパスＴＣＰ）は、ＩＰアドレス変更を乗り切ることを可能とし得る。
【００４１】
いくつかのアプリケーションは、ＩＰアドレスの変更を乗り切ることを可能とし得るが、サービスブレークは、ネットワークサポートの不在、特に、ＩＰアドレスの変更の頻度が比較的高い場合、及び／又は、新たなＩＰアドレス（例えば、ＩＰ３）が、古いＩＰアドレス（例えば、ＩＰ２）のリリースの後にのみ利用可能になる場合に顕著となり得る。新たなＩＰアドレス（例えば、ＩＰ３）の確立の前の古いＩＰアドレス（例えば、ＩＰ２）のリリースは、ブレークビフォアメーク動作と称され得る。
【００４２】
本技術は、ＣＳＩＰＴＯに対する具体的な改善を説明する。１つの改善は、ＬＧＷがｅＮＢと配置される場合を含む、使用事例の数が増えることにおいて、ＣＳＩＰＴＯに対するメークビフォアブレーク動作を可能にすることを含み得る。別の改善は、ハンドオーバがあると、自動的なＰＤＮ接続確立を可能とすることを含み得る。換言すると、ＰＤＮ接続の作成は、ハンドオーバ手順と組み合わせられ得る。先述の解決方法において、ハンドオーバ手順は、無線レベルの手順であり、一方で、ＰＤＮ接続確立は、上層の手順（又は、非アクセス層の手順）であるので、２つの手順が同時に発生することはない。先述の解決方法において、一旦ＵＥが第２のｅＮＢに引き渡されると、それでハンドオーバ手順の終了である。後で、ＵＥは新たなＰＤＮ接続（例えば、ＩＰ３）を確立する依頼を取得し得る。この先述の解決方法についての１つの欠点は、新たなＰＤＮ接続を要求することをＵＥに指示すべく、そして、新たなＰＤＮ接続を確立するための、さらなる時間が必要とされることであり、それによりサービスブレークに影響を有し得る。サービスブレークは、エンドユーザ（例えば、ＵＥのユーザ）により顕著になり得る。先述の解決方法についての別の欠点は、新たなＰＤＮ接続を確立するための、ＵＥとコアネットワークとの間に発生するシグナリングの量が増加することである。換言すると、新たなＰＤＮ接続に対する要求及び新たなＰＤＮ接続の確立は、シグナリングが増すことを含むが、ＰＤＮ接続がハンドオーバ手順と組み合わせられる場合、それは不必要となり得る。加えて、望ましくない競合状態が発生し得る（例えば、ＰＤＮ接続が確立される間に新たなハンドオーバがトリガされ得る）。
【００４３】
先述の解決方法において、ＰＤＮ接続及びハンドオーバ手順が分離される。ＵＥが、ターゲットのセルに引き渡された後で（つまり、ハンドオーバ手順の完了後に）、ネットワークはＣＳＩＰＴＯをトリガすることを決定し得る。ネットワークは、ＵＥに、新たなＰＤＮ接続を要求すべきことを通知し得、それに応答して、ＵＥは、新たなＰＤＮ接続を要求し得る。新たなＰＤＮ接続に対する情報は、非アクセス層（ＮＡＳ）メッセージにおいて、モビリティ管理エンティティ（ＭＭＥ）からＵＥに送信され得る。ＩＰアドレスの割り当ては、インターネットエンジニアリングタスクフォース（ＩＥＴＦ）メカニズムを用いて、ＰＤＮ接続確立の終了で実行され得る。しかしながら、先述の解決方法において、ＰＤＮ接続確立は、ハンドオーバ手順と比較して、スタンドアロン手順である。ＰＤＮ接続確立手順とハンドオーバ手順との分離は、不必要に増大するシグナリングを生成し得、さらなる時間を消費し得る。
【００４４】
従って、本技術は、ハンドオーバ中にＰＤＮ接続の自動作成を含み得る。換言すると、ＰＤＮ接続確立手順は、ハンドオーバ手順と統合され得る。ＰＤＮ接続割り当ては、ハンドオーバ手順の一部として実行され得、全てのＰＤＮ接続情報（割り当てられたＩＰアドレス／プレフィックスを含む）は、ハンドオーバコマンドを伝達する同一のＲＲＣメッセージ上で効率よく処理され得る。加えて、本技術は、ＬＧＷがｅＮＢと配置される場合を含む追加事例において、ＣＳＩＰＴＯに対するメークビフォアブレーク動作を可能とすることを含み得る。ＳＧＷ機能がＥＰＣに位置付けられる場合、本技術は、ＳＩＰＴＯ@ＬＮ  ＰＤＮ接続のリリースを可能とし得る。ＳＧＷ機能がｅＮＢ（例えば、ターゲットｅＮＢ）と配置される場合、本技術は、ソースｅＮＢにおけるＬＧＷ機能と、ターゲットｅＮＢにおけるＳＧＷ機能との間の新規のＳ５の参照ポイントに依拠する。
【００４５】
本技術のいくつかの利点は、ＣＳＩＰＴＯと共通する。１つの利点は、最適なＩＰルーティングを含む、というのは、トラフィックは無線エッジの比較的近くでブレークし得るからである。例えば、２つのＵＥが同一のｅＮＢ下にある場合、トラフィックは局所的にルーティングされ得る。バックホールリンク又はヘアピニングはない。加えて、タイムリーにトラフィックをブレークすることにより、トンネルは、３ＧＰＰアーキテクチャが汎用パケット無線サービス（ＧＰＲＳ）トンネリングプロトコルユーザプレーン（ＧＴＰ‐Ｕ）に基づく、ユーザプレーンにおいて回避され得る。従って、本技術の１つの利点は、ＧＴＰ−Ｕのカプセル化の回避である。追加の利点は、ユーザプレーントラフィックのバルクは、既製のＩＰルータにより伝達され得ることである。本技術は、ハンドオーバの一部として自動のＩＰアドレス割り当てを実行することにより、制御プレーンのシグナリングを最小化し得る。本技術は、ＩＰアドレスがｅＮＢでホストされる場合であっても、メークビフォアブレーク動作を可能とし得る。加えて、本技術は、増大するユーザトラフィックの量が、ｅＮＢでＥＰＳからブレークアウトする、よりフラットなモバイルネットワークアーキテクチャを可能にすることにより、次（５Ｇ）のアーキテクチャの進化を潜在的に可能とし得る。
【００４６】
図３は、第１のパケットデータネットワーク（ＰＤＮ）接続を用いるユーザ機器（ＵＥ）３４０に対する最初のトラフィックフロー、及びＵＥモビリティに基づいてトリガされる第２のＰＤＮ接続を用いるＵＥ３４０に対する修正されたトラフィックフローを示す。ＵＥ３４０は、最初にはセルのグループ内に位置付けされ得る。この構成において、ＵＥ３４０は、ソースＰＤＮゲートウェイ３２２（Ｓ‐ＰＧＷ）とパケットデータネットワーク（ＰＤＮ）接続を確立し得る。ＵＥ３４０は、インターネットプロトコル（ＩＰ）アドレスを割り当てられ得、ＩＰ２と称される。ＩＰアドレス（つまり、ＩＰ２）は、Ｓ‐ＰＧＷ３２２上でホストされ得る。ＵＥ３４０に対するサービングゲートウェイ（ＳＧＷ）機能は、ソースＳＧＷ（例えば、Ｓ‐ＳＧＷ３２４）であり得る。図３に示されるように、第１の破線は、最初のＰＤＮ接続（Ｓ‐ＳＧＷ‐Ｓ‐ＰＧＷ）から流れるトラフィックを示し得る。
【００４７】
この例において、Ｓ‐ＰＧＷ３２２及びＳ‐ＳＧＷは、無線アクセスネットワーク（ＲＡＮ）３５０において進化型ノードＢ（ｅＮＢ）と配置されない。むしろ、Ｓ‐ＰＧＷ３２２及びＳ‐ＳＧＷは、進化型パケットコア（ＥＰＣ）に位置付けされ得る。Ｓ‐ＰＧＷ３２２及びＳ‐ＳＧＷは、ネットワークエッジの近くに選択され得るが、この場合、それらはｅＮＢのような、無線アクセスネットワーク（ＲＡＮ）ノードと配置されない。
【００４８】
ＵＥ３４０がセルの異なるグループに移動するにつれ、前のＰＤＮ接続からのトラフィックは、ターゲットＳＧＷ３３４を介して、代わりに進み得る。換言すると、ＵＥ３４０に対するＳＧＷ機能がターゲットＳＧＷ３３４となり得るように、ＳＧＷ機能は再度位置付けされ得る。しかしながら、ＵＥ３４０に対するＰＧＷ機能は、最初に割り当てられるようになり得る（つまり、ソースＰＧＷ３２２）。従って、ＵＥ３４０がターゲットＰＧＷ３３２により近くに移動した場合であっても、ＵＥのトラフィックは、前のＰＤＮ接続を介してまだフローし得る。特に、ＵＥのトラフィックは、Ｓ1‐Ｕ＋Ｓ５パス上を流れ得る。図３に示されるように、第２の破線は、ＳＧＷ再度位置付け（Ｔ‐ＳＧＷ‐Ｓ‐ＰＧＷ）の後に、最初のＰＤＮ接続から流れるトラフィックを示し得る。
【００４９】
ＣＳＩＰＴＯでもって、モビリティ管理エンティティ（ＭＭＥ）３１０は、ＰＤＮ接続を効率化する可能性をＵＥ３４０に示し得る。ＰＤＮ接続を効率的にすることは、ＰＤＮ接続に関してより最適化されたトラフィックフローをもたらし得る。指示に基づいて、ＵＥ３４０は新たなＰＤＮ接続を要求し得る。新たなＰＤＮ接続は、ＵＥの現在位置により近いターゲットＰＧＷ３３２と確立され得る。新たなＰＤＮ接続に関連する情報は、非アクセス層（ＮＡＳ）メッセージにおいて、ＭＭＥ３１０からＵＥ３４０に送信され得る。図３に示されるように、第３の破線は、新たなＰＤＮ接続（Ｔ‐ＳＧＷ‐Ｔ‐ＰＧＷ）から流れるトラフィックを示し得る。ダイレクトＳ５パスは、Ｓ‐ＰＧＷ３２２及びＴ‐ＳＧＷ３３４を接続し得る。新たなＰＤＮ接続の確立は、ＵＥ３４０が新たなＩＰアドレス（つまり、ＩＰ３）を割り当てられることをもたらし得る。この時点で、ＵＥ３４０は、２つのＰＤＮ接続、つまり、ＩＰ２と関連付けられる第１のＰＤＮ接続、及びＩＰ３と関連付けられる第２のＰＤＮ接続を並列に有し得る。
【００５０】
図３に示される構成において、新たなＰＤＮ接続（Ｔ‐ＳＧＷ‐Ｔ‐ＰＧＷ）の確立は、ハンドオーバ手順中に発生し得る。換言すると、新たなＰＤＮ接続の確立は、先述の解決方法におけるような２つの別個の分離手順を有するのとは対照的に、ハンドオーバ手順上でピギーバックされ得る。
【００５１】
図４は、第１のパケットデータネットワーク（ＰＤＮ）接続を用いるユーザ機器（ＵＥ）４４０に対する最初のトラフィックフロー、及びＵＥモビリティに基づいてトリガされる第２のＰＤＮ接続を用いるＵＥ４４０に対する修正されたトラフィックフローを示す。ＵＥ４４０は、最初にソースｅＮＢ４１６に近接して位置付けされ得る。この構成において、ＵＥ４４０は、ＰＤＮゲートウェイ（ＰＧＷ）機能を有するソースローカルゲートウェイ（Ｓ‐ＬＧＷ）４１４とパケットデータネットワーク（ＰＤＮ）接続を確立し得る。ＵＥ４４０は、インターネットプロトコル（ＩＰ）アドレスを割り当てられ得、ＩＰ２と称される。ＵＥ４４０に対するサービングゲートウェイ（ＳＧＷ）機能は、ソースＳＧＷ（例えば、Ｓ‐ＳＧＷ４１２）であり得る。図４に示されるように、第１の破線は、最初のＰＤＮ接続（Ｓ‐ｅＮＢ‐Ｓ‐ＬＧＷ）から流れるトラフィックを示し得る。
【００５２】
この例において、Ｓ‐ＬＧＷ４１４は、ソースｅＮＢ４１６と配置され得る。加えて、Ｓ‐ＳＧＷ４１２は、進化型パケットコア（ＥＰＣ）において位置付けされ得る。ＵＥ４４０は最初に、ホームｅＮＢとなり得る、ソースｅＮＢ４１６（又はサービングｅＮＢ）に接続され得る。ＵＥ４４０は、ネットワーク内にあるＳ‐ＳＧＷ４１２を有するが、ＵＥのトラフィックは、Ｓ‐ＳＧＷ４１２を介してヘアピニングされなくてよい。その代わりに、ＵＥ４４０は、Ｓ１‐Ｕを介し、及びS５を介して下方に進むことなく、トラフィックをＳ‐ｅＮＢ４１６から、配置されたＬＧＷ機能に直接ショートカットし得る。
【００５３】
ＵＥ４４０は、ターゲットｅＮＢ（Ｔ‐ｅＮＢ）４３４に移動し得る。Ｔ‐ｅＮＢ４３４は、ターゲットＬＧＷ（Ｔ‐ＬＧＷ）４３２と関連付けられ得る。ＵＥ４４０がトラフィックを前のＰＤＮ接続から新たなＰＤＮ接続に移行することを可能とするために、ＵＥ４４０は、前のＰＤＮ接続（つまり、ＩＰ２）を一時的に保持し得る。ＵＥ４４０は、ターゲットＳＧＷ（Ｔ‐ＳＧＷ）４２２とヘアピニング又はトロンボーニングを実行することにより、古いＰＤＮ接続を一時的に維持し得る。ＵＥ４４０に対するＰＧＷ機能が、最初に割り当てられたとおりであり得る（つまり、ソースＬＧＷ４１４）。図４に示されるように、第２の破線は、ＵＥ４４０がターゲットｅＮＢ４３４（Ｔ‐ＳＧＷ‐Ｓ‐ＬＧＷ）に移動した後で、前のＰＤＮ接続から流れるトラフィックを示し得る。
【００５４】
ハンドオーバ手順の一部として、新たなＰＤＮ接続がＵＥ４４０に割り当てられ得る。換言すると、新たなＰＤＮ接続の確立は、先述の解決方法におけるような２つの別個の分離手順を有するのとは対照的に、ハンドオーバ手順上でピギーバックされ得る。新たなＰＤＮ接続は、ＩＰ３と関連付けられ得る。モビリティ管理エンティティ（ＭＭＥ）４１０は、ＰＤＮ接続を効率化する可能性をＵＥ４４０に示し得る。指示に基づいて、ＵＥ４４０は新たなＰＤＮ接続を要求し得る。新たなＰＤＮ接続は、ターゲットｅＮＢ４３４、及びＵＥの現在位置により近くにある、配置されたターゲットＬＧＷ４３２と確立され得る。新たなＰＤＮ接続に関連する情報は、非アクセス層（ＮＡＳ）メッセージにおいて、ＭＭＥ４１０からＵＥ４４０に送信され得る。図４に示されるように、第３の破線は、新たなＰＤＮ接続（Ｔ‐ｅＮＢ‐Ｔ‐ＬＧＷ）から流れるトラフィックを示し得る。
【００５５】
この時点で、ＵＥ４４０は、２つのＰＤＮ接続、つまり、ＩＰ２と関連付けられる第１のＰＤＮ接続、及びＩＰ３と関連付けられる第２のＰＤＮ接続を並列に有し得る。第１のＰＤＮ接続（つまり、ＩＰ２）は準最適となり得るが、ＵＥ４４０は、トラフィックを第２のＰＤＮ接続（つまり、ＩＰ３）に移行することが促され、又は予期されるので、第１のＰＤＮ接続の保存は、一時的な状況となり得る。ＤＡＳＨベースのストリーミング、ウェブブラウジング、及びＩＭＳベースのトラフィックに対して、このトラフィックは、第２のＰＤＮ接続にタイムリーに移行され得る。
【００５６】
Ｔ‐ｅＮＢ４３４とＴ‐ＬＧＷ４３２との間のダイレクトパスは、３ＧＰＰリリース１２  ＳＩＰＴＯ@ＬＮメカニズムに基づいて確立されるので、第２のＰＤＮ接続（つまり、ＩＰ３）は、第１のＰＤＮ接続（つまり、ＩＰ２）とは対照的に、トラフィックフローに対してトロンボーニングを用いない。先述の解決方法において、３ＧＰＰ技術仕様書（ＴＳ）２３．４０１．節４．３．１５ａ．３において更に説明されるように、ＳＩＰＴＯ@ＬＮ  ＰＤＮ接続はＳ‐ＬＧＷにおけるタイマメカニズムを用いてハンドオーバすると必ずリリースされることを、配置されたｅＮＢを有するＳＩＰＴＯ@ＬＮは仮定した。しかしながら、本技術において、ＳＩＰＴＯ@ＬＮ  ＰＤＮ接続（又は、それらの不在）のリリースの決定は、ＭＭＥ４１０により行われ得る。
【００５７】
図５は、第１のパケットデータネットワーク（ＰＤＮ）接続を用いるユーザ機器（ＵＥ）５４０に対する最初のトラフィックフロー、及びＵＥモビリティに基づいてトリガされる第２のＰＤＮ接続を用いるＵＥ５４０に対する修正されたトラフィックフローを示す。ＵＥ５４０は、最初にソースｅＮＢ５１６に近接して位置付けされ得る。この構成において、ＵＥ５４０は、ＰＤＮゲートウェイ（ＰＧＷ）機能を有するソースローカルゲートウェイ（Ｓ‐ＬＧＷ）５１２とパケットデータネットワーク（ＰＤＮ）接続を確立し得る。ＵＥ５４０は、インターネットプロトコル（ＩＰ）アドレスを割り当てられ得、ＩＰ２と称される。ＵＥ５４０に対するサービングゲートウェイ（ＳＧＷ）機能は、ソースｅＮＢ（Ｓ‐ｅＮＢ）５１６と配置され得るソースＳＧＷ（例えば、Ｓ‐ＳＧＷ５１４）であり得る。換言すると、Ｓ‐ＬＧＷ５１２及びＳ‐ＳＧＷ５１４の両方ともＳ‐ｅＮＢ５１６と配置され得る。図５に示されるように、第１の破線は、最初のＰＤＮ接続（Ｓ‐ｅＮＢ‐Ｓ‐ＳＧＷ‐Ｓ‐ＬＧＷ）から流れるトラフィックを示し得る。
【００５８】
ＵＥ５４０は、ソースｅＮＢ５１６からターゲットｅＮＢ５２６に移動し得る。ターゲットｅＮＢ５２６は、Ｔ‐ＳＧＷ５２４及びＴ‐ＬＧＷ５２２の両方と配置され得る。ＵＥ５４０は、前のＰＤＮ接続（つまり、ＩＰ２）を一時的に保持し得る。図５に示されるように、第２の破線は、ＵＥ５４０がターゲットｅＮＢ５２６（Ｔ‐ｅＮＢ‐Ｓ‐ＬＧＷ）に移動した後に、前のＰＤＮ接続から流れるトラフィックを示し得る。ハンドオーバ手順の一部として、新たなＰＤＮ接続がＵＥ５４０に割り当てられ得る。新たなＰＤＮ接続は、ＩＰ３と関連付けられ得る。新たなＰＤＮ接続（つまり、ＩＰ３）は、ＵＥの現在位置により近いターゲットｅＮＢ５２６と確立され得、ターゲットｅＮＢ５２６は、Ｔ‐ＳＧＷ５２４及びＴ‐ＬＧＷ５２２の両方と配置される。ＵＥ５４０は、トラフィックが前のＰＤＮ接続から新たなＰＤＮ接続（つまり、ＩＰ３）に移行するまで、前のＰＤＮ接続（つまり、ＩＰ２）を維持し得る。図５に示されるように、第３の破線は、新たなＰＤＮ接続（Ｔ‐ｅＮＢ‐Ｔ‐ＳＧＷ‐Ｔ‐ＬＧＷ）から流れるトラフィックを示し得る。
【００５９】
この例において、ｅＮＢ及びＳＧＷ機能の両方が移動されるので、Ｓ５インタフェースは、ターゲットｅＮＢ５２６と、ソースｅＮＢ５１６と配置されるＬＧＷ機能（つまり、Ｓ‐ＬＧＷ５１２）との間でサポートされ得る。図５において示される構成は、ＵＥ５４０が接続モードにおいて永久に保持される場合に発生し得るＩＰアドレスの保存を有する追加のＰＤＮ接続を、ＵＥ５４０が必要としない場合に用いられ得る。
【００６０】
図６は、第１のパケットデータネットワーク（ＰＤＮ）接続を用いるユーザ機器（ＵＥ）６４０に対する最初のトラフィックフロー、及びＵＥモビリティに基づいてトリガされる第２のＰＤＮ接続を用いるＵＥ６４０に対する修正されたトラフィックフローを示す。ＵＥ６４０は、最初にソースｅＮＢ６１６に近接して位置付けされ得る。この構成において、ＵＥ６４０は、ＰＤＮゲートウェイ（ＰＧＷ）機能を有するソースローカルゲートウェイ（Ｓ‐ＬＧＷ）６１２とパケットデータネットワーク（ＰＤＮ）接続を確立し得る。ＵＥ６４０は、インターネットプロトコル（ＩＰ）アドレスを割り当てられ得、ＩＰ２と称される。ＵＥ６４０に対するサービングゲートウェイ（ＳＧＷ）機能は、ソースｅＮＢ（Ｓ‐ｅＮＢ）５１６と配置され得る、ソースＳＧＷ（例えば、Ｓ‐ＳＧＷ６１４）であり得る。換言すると、Ｓ‐ＬＧＷ６１２及びＳ‐ＳＧＷ６１４の両方は、Ｓ‐ｅＮＢ６１６と配置され得る。図６に示されるように、第１の破線は、最初のＰＤＮ接続（Ｓ‐ｅＮＢ‐Ｓ‐ＳＧＷ‐Ｓ‐ＬＧＷ）から流れるトラフィックを示し得る。
【００６１】
ＵＥ６４０は、ソースｅＮＢ６１６からターゲットｅＮＢ６２６に移動され得る。ターゲットｅＮＢ６２６は、Ｔ‐ＳＧＷ６２４及びＴ‐ＬＧＷ６２２の両方と配置され得る。ＵＥ６４０は、前のＰＤＮ接続（つまり、ＩＰ２）を一時的に保持し得る。図６に示されるように、第２の破線は、ＵＥ６４０がターゲットｅＮＢ６２６（Ｔ‐ｅＮＢ‐Ｓ‐ＬＧＷ）に移動した後に、前のＰＤＮ接続から流れるトラフィックを示し得る。ハンドオーバ手順の一部として、新たなＰＤＮ接続がＵＥ６４０に割り当てられ得る。新たなＰＤＮ接続は、ＩＰ３と関連付けられ得る。新たなＰＤＮ接続（つまり、ＩＰ３）は、ＵＥの現在位置により近いターゲットｅＮＢ６２６と確立され得、ターゲットｅＮＢ６２６は、Ｔ‐ＳＧＷ６２４及びＴ‐ＬＧＷ６２２の両方と配置される。ＵＥ６４０は、トラフィックが前のＰＤＮ接続から新たなＰＤＮ接続（つまり、ＩＰ３）に移行するまで、前のＰＤＮ接続（つまり、ＩＰ２）を維持し得る。図６に示されるように、第３の破線は、新たなＰＤＮ接続（Ｔ‐ｅＮＢ‐Ｔ‐ＳＧＷ‐Ｔ‐ＬＧＷ）から流れるトラフィックを示し得る。
【００６２】
この構成において、モビリティ管理エンティティ（ＭＭＥ）は、ＰＤＮ接続確立を含む、セッション管理機能に含まれない。むしろ、ＰＤＮ接続処理は、ＭＭＥ６１０の代わりに、無線アクセスネットワーク（ＲＡＮ）により実行され得る。ＰＤＮ接続（並びに、セッション管理）に関連する情報は、アクセス層メッセージを介して、ｅＮＢ（例えば、Ｓ‐ｅＮＢ６１６又はＴ‐ｅＮＢ６２６）からＵＥ６４０に送信され得る。加えて、この構成は、ＭＭＥ６１０とｅＮＢ／ＳＧＷ／ＬＧＷを組み合わせたノードとの間にＳ１１インタフェースを含まない。
【００６３】
１つの例において、ＭＭＥ６１０は、ＰＤＮ接続を確立するために用いられるのとは対照的に、認証目的（例えば、セキュリティの目的）のためのプロキシ機能として用いられ得る。ＭＭＥ６１０はまた、サービス品質（ＱｏＳ）プロキシとして用いられ得る。例えば、ポリシー課金制御（ＰＣＣ）インフラストラクチャからの情報は、ＭＭＥ６１０を介して、Ｓ‐ｅＮＢ６１６又はＴ‐ｅＮＢ６２６に伝達される。この構成において、ハンドオーバ手順は、前の例にあるようなＳＩハンドオーバ手順とは対照的に、Ｘ２ハンドオーバ手順に基づき得る。Ｘ２ハンドオーバ手順は、ダイレクトＸ２インタフェース上においてＳ‐ｅＮＢ６１６とＴ‐ｅＮＢ６２６との間にダイレクトシグナリングを含む。ＵＥ６４０がターゲットｅＮＢ６２６に移動した後で、ターゲットｅＮＢ６２６は、ＮＡＳＩメッセージをＭＭＥ６１０に送信し得る。ＮＡＳＩメッセージは、ＵＥ６４０が成功裏にターゲットｅＮＢ６２６に移動したことをＭＭＥ６１０に通知するパケット切り替え通知メッセージであり得る。
【００６４】
図７は、ユーザ機器（ＵＥ）に対するパケットデータネットワーク（ＰＤＮ）接続確立を含む例示的なハンドオーバ手順を示す。ハンドオーバ手順は、ＵＥ７１０がＳｅＮＢ７２０のカバレッジ外、及びターゲットｅＮＢ７４０のカバレッジ内で移動している場合に、ソースｅＮＢ７２０（又はサービングｅＮＢ）とターゲットｅＮＢ７３０との間で実行され得る。ＵＥ７１０は最初にソースサービングゲートウェイ（ＳＧＷ）／ソースパケットデータネットワーク（ＰＤＮ）ゲートウェイ（ＰＧＷ）７５０とパケットデータネットワーク（ＰＤＮ）接続を有し得る。換言すると、ＳＧＷ及びＰＧＷが配置され得る。このＰＤＮ接続は、割り当てられたＩＰアドレス（例えば、ＩＰ２）であり得る。
【００６５】
ＵＥ７１０は、無線測定を実行し得、これらの無線測定に基づいて、ソースｅＮＢ７２０は、ＵＥ７１０を引き渡すためのターゲットｅＮＢ７３０を選択し得る。作用１において、ソースｅＮＢ７２０は、［Ｓ１‐ＭＭＥ］ハンドオーバ要請メッセージをモビリティ管理エンティティ（ＭＭＥ）７４０に送信することにより、ハンドオーバ手順をトリガし得る。
【００６６】
作用２において、ＭＭＥ７４０は、［ＧＴＰ］セッション作成要求メッセージを送信することにより、ターゲットサービングゲートウェイ（ＳＧＷ）／ターゲットパケットデータネットワーク（ＰＤＮ）ゲートウェイ（ＰＧＷ）７６０と新たなＳ１１セッションを確立し得る。ＭＭＥ７４０は、セッション作成手順を用いて、既存のＰＤＮ接続に対する新たなＳ１１セッションを確立し得る。一般的に、ハンドオーバ手順は、ＵＥ７１０に対してＳＧＷを変更することを含み得る。従って、ＭＭＥ７４０は、ターゲットＳＧＷ７６０を選択し得る。加えて、新たなＰＤＮ接続に関するＰＤＮ接続情報は、セッション作成要求メッセージ上でピギーバックされ得る。従って、セッション作成要求メッセージは、（ターゲットＳＧＷと配置される）ターゲットＰＧＷ７６０との新たなＰＤＮ接続の作成の埋め込み要求を含み得る。
【００６７】
作用２において、ＭＭＥ７４０は、ＰＤＮ接続を効率化すること（つまり、ＣＳＩＰＴＯを実行すること）を決定し得る。そのため、ターゲットＳＧＷ７６０を選択するのに前に用いられたのみのセッション作成要求は、新たなＰＤＮ接続を確立するための要求を含み得る。ターゲットＳＧＷ７６０は、配置されたターゲットＰＤＮゲートウェイ機能に局所的に接触し得る。ターゲットＰＤＮゲートウェイ機能が配置されない場合、ＧＴＰシグナリングは、ターゲットＰＤＮゲートウェイ機能を縮小するのに用いられ得る。セッション作成要求メッセージは、ターゲットＳＧＷ７６０が、新たなＰＤＮ接続リソースを割り当てることをターゲットＰＤＮゲートウェイ機能に局所的に要求することを可能とし得、そのリソースは、ＵＥに対する新たなＩＰアドレス（例えば、ＩＰ３）をもたらし得る。
【００６８】
作用３において、T‐ＳＧＷ７６０は、［Ｓ１１］セッション作成応答メッセージでＭＭＥ７４０に応答し得る。セッション作成応答メッセージは、古いＰＤＮ接続（例えば、ＩＰ２）に対するＳ１１セッションの成功した転送、並びに新たなＰＤＮ接続（例えば、ＩＰ３）に関する情報の両方を確認し得る。先述の解決方法において、セッション作成応答メッセージは、ＳＧＷの割り当てを肯定応答するのみに用いられた。この解決において、セッション作成応答メッセージは、新規のＰＤＮ接続応答パラメータを用いて示され得る新たなＰＤＮ接続に関する情報を含み得る。情報は、Ｔ‐ＰＧＷ７６０と確立される割り当てＩＰアドレス／プレフィックス（つまり、ＩＰ３）を含み得る。割り当てられたＩＰアドレスは、ＩＰｖ６アドレス、又はＩＰｖ４アドレスであり得る。
【００６９】
作用４において、ＭＭＥ７４０は、［Ｓ１‐ＭＭＥ］ハンドオーバ要求メッセージをターゲットｅＮＢ（Ｔ‐ｅＮＢ）７３０に送信し得る。ＭＭＥ７４０は、古いＰＤＮ接続（例えば、ＩＰ２）及び新たなＰＤＮ接続（例えば、ＩＰ３）の両方に対する無線リソースを要求し得る。換言すると、ハンドオーバ要求メッセージは、ＵＥ７１０に対するリソースの量をターゲットｅＮＢ７５０に示し得る。先述の解決方法において、ＭＭＥ７４０は、ＵＥのトラフィックに基づいて、リソースの割り当てを要求し得る。この構成において、ＭＭＥ７４０は、古いＰＤＮ接続（例えば、ＩＰ２）及び新たなＰＤＮ接続（例えば、ＩＰ３）の両方に対するリソースを要求しているので、ＭＭＥ７４０は、先述の解決方法にあるようなリソースのおよそ２倍を要求し得る。ＵＥ７１０は、例えば、５つのＰＤＮ接続を潜在的に有し得、新たなＰＤＮ接続（例えば、ＩＰ３）は、その５つのＰＤＮ接続の１つに対して割り当てられ得る。従って、この例において、要求されたリソースは、置き換えられるＰＤＮ接続に対するものであり得る。
【００７０】
作用５において、ターゲットｅＮＢ７３０は、ハンドオーバ要求メッセージにおいて要求されるリソースを確保する接続許可制御を実行し得る。加えて、ターゲットｅＮＢ７３０は、ハンドオーバ要求の肯定応答を送信し得る。
【００７１】
作用６において、ＭＭＥ７４０は、［Ｓ１−ＭＭＥ］ハンドオーバコマンドメッセージをＳ‐ｅＮＢ７２０に送信し得る。同時に、ＭＭＥ７４０は、新たなＰＤＮ接続（つまり、ＩＰ３）の確立を要求し得る。新たなＰＤＮ接続の確立は、非アクセス層（ＮＡＳ）メッセージとして提供され得る。ハンドオーバコマンドメッセージは、新たなＰＤＮ接続の確立に対する（ＮＡＳメッセージの一部として）情報を含み得る。例えば、ＮＡＳメッセージにおける情報は、割り当てＩＰアドレス／プレフィックス（ＩＰ３）、進化型パケットシステム（ＥＰＳ）ベアラアイデンティティ、ベアラのＥＰＳ  ＱｏＳ、及びアクセスポイント名（ＡＰＮ）を含み得る。加えて、ＮＡＳメッセージにおける情報は、プロトコル設定オプション（ＰＣＯ）パラメータを含み得る。
【００７２】
作用７において、ＭＭＥ７４０は、ＲＲＣ接続再設定メッセージをＵＥ７１０に送信し得る。加えて、ＲＲＣ接続再設定メッセージは、新たなＰＤＮ接続の確立に対するＮＡＳメッセージをトランスペアレントに伝達し得る。換言すると、新たなＰＤＮ接続の確立を要求するＮＡＳメッセージは、ＲＲＣ接続再設定メッセージ上でピギーバックし得る。ＲＲＣ接続再設定メッセージはまた、Ｓ‐ｅＮＢ７２０からＵＥ７１０に送信されるハンドオーバコマンドメッセージと称され得る。ＲＲＣ接続再設定メッセージは、ＵＥ７１０にターゲットｅＮＢ７３０を通知し得、ＵＥ７１０がターゲットｅＮＢ７３０の位置を突き止めることを可能とする必要な物理層情報を提供する。従って、（ＮＡＳメッセージを含む）ＲＲＣ接続再設定メッセージは、ＵＥ７１０がターゲットｅＮＢ７３０に引き渡されていること、及びＵＥ７１０が、ＮＡＳメッセージにおいて情報を用いて新たなＰＤＮ接続を確立することをＵＥ７１０に通知し得る。先述の解決方法において、ＵＥ７１０は、ＲＲＣ接続再設定メッセージの一部としてしてＮＡＳメッセージを受信するように構成されていない。
【００７３】
作用８において、ＵＥ７１０は、新たなＰＤＮ接続を内部に作成し得る。加えて、ＵＥ７１０は、ターゲットｅＮＢ７３０へのハンドオーバに対するアクセス層手順を実行し得る。ＵＥ７１０がターゲットｅＮＢ７３０の位置を突き止めた後で、ＵＥ７１０は、ＲＲＣ再構成完了メッセージをターゲットｅＮＢ７３０に送信し得る。ＲＲＣ再構成完了メッセージはまた、ハンドオーバ完了メッセージと称され得る。ＵＥ７１０は、ハンドオーバをターゲットｅＮＢ７３０に肯定応答するために、ＲＲＣ再構成完了メッセージを送信し得る。ＲＲＣ再構成完了メッセージは、新たなＰＤＮ接続の確立を肯定応答するＮＡＳメッセージをトランスペアレントに伝達し得る。ＮＡＳメッセージは、ＰＣＯパラメータのような他の関連情報を含み得る。ＮＡＳメッセージにおける情報は、ＮＡＳ有効化デフォルトベアラ受入メッセージにおける情報と同様であり得る。作用８の後で、新たなＰＤＮ接続（つまり、ＩＰ３）は動作可能となり得る。従って、ＵＥ７１０は、新たなＩＰアドレスプレフィックス（つまり、ＩＰ３）を容易に用い得る。
【００７４】
作用９において、ターゲットｅＮＢ７３０は、このカプセル化されたＮＡＳメッセージを含む［Ｓ１‐ＡＰ］ハンドオーバ通知メッセージをＭＭＥ７４０に送信し得る。従って、ハンドオーバ通知メッセージは、新たなＰＤＮ接続の確立の肯定応答を含み得る。
【００７５】
作用１０において、ＭＭＥ７４０は、［ＧＴＰ］セッション修正要求をＴ‐ＳＧＷ／Ｔ‐ＰＧＷ７６０に送信し得る。
【００７６】
作用１１において、Ｓ‐ＳＧＷ／Ｓ‐ＰＧＷ７５０は、［ＧＴＰ］セッション修正要求をＴ‐ＳＧＷ／Ｔ‐ＰＧＷ７６０に送信し得、それに応答して、作用１２において、Ｔ‐ＳＧＷ／Ｔ‐ＰＧＷ７６０は、セッション修正応答を、Ｓ‐ＳＧＷ／Ｓ‐ＰＧＷ７５０に送信し得る。１つの例において、作用１１及び１２の実行は、古いＰＤＮ接続（つまり、ＩＰ２）を保存し得る。セッション修正要求メッセージは、ターゲットＳＧＷ機能及びソースＰＤＮゲートウェイ機能の間にＳ５リンクを確立し得、それにより、古いＰＤＮ接続（つまり、ＩＰ２）を保存し得る。古いＰＤＮ接続（つまり、ＩＰ２）を保存することにより、ＰＤＮ接続確立手順は、メークビフォアブレークポリシーを順守し得る。換言すると、第２のＰＤＮ接続（つまり、ＩＰ３）は、作用８の後で完全に動作可能であり、その時点で第１のＰＤＮ接続（つまり、ＩＰ２）もまた動作可能であるので、ＰＤＮ接続確立は、メークビフォアブレークであり得る。
【００７７】
作用１３から１４ｄは、従来のＳ１ハンドオーバ手順と同様である。
【００７８】
１つの構成において、様々なネットワーク要素が配置され得る。例えば、Ｔ‐ＳＧＷ／Ｔ‐ＰＧＷ７６０は、ターゲットｅＮＢ７３０と配置され得る。結果として、図７における複数の動作のいくつかのは、単一の動作へと組み合わせられ得る。例えば、ターゲットｅＮＢ、ターゲットＳＧＷ、及びターゲットＰＧＷが配置される場合、作用２及び４、作用３及び５、作用１４ａ及び１４ｂ、及び作用１４ｃ及び１４ｄを組み合わせることが可能である。
【００７９】
１つの例において、本明細書で説明されるようなＩＰアドレスの割り当ては、シグナリングリソースを節約し得る。先述の解決方法において、ＩＰｖ６に対するＩＰアドレスの割り当ては、外部のメカニズムを用いて実行される。例えば、デフォルトルータは、ルータ広告メッセージを送信し得、ルータ広告メッセージに基づいて、ＵＥは、ＩＰｖ６アドレスのステートレス自動構成を構成し得る。ルータ広告メッセージは、作用７において説明された同一のＩＰプレフィックスであり得るＩＰプレフィックスをＵＥに提供し得る。過去の解決において、ＩＰプレフィックス（例えば、ＩＰｖ６アドレス）の送信は、ルータ広告メッセージを有するユーザプレーンにおいて実行され得る。この解決において、ＩＰプレフィックスは、制御プレーンメッセージにおいて提供される。
【００８０】
図８は、ユーザ機器（ＵＥ）に対するパケットデータネットワーク（ＰＤＮ）接続確立を含む例示的なサービス要求手順を示す。前に説明されたように、ハンドオーバ手順とＰＤＮ接続確立手順との統合は、接続モードのＵＥのみならず、アイドルモードのＵＥにもまた適用可能であり得る。ＵＥがアイドルモードである場合、ネットワークは、ＵＥをページングし得、又はＵＥが接続モードに戻るのを待機し得る。ＵＥは、サービス要求メッセージを送信することにより、接続モードに戻されることを要求し得る。例えば、ＵＥが、送信すべきモバイル発信データを有する場合、ＵＥは、接続モードに戻り得る。
【００８１】
この構成において、ＰＤＮ接続要求は、サービス要求手順とピギーバックされ得る。新たなＰＤＮ接続の確立は、ＵＥモビリティに起因し得る。例えば、ＵＥは、最後のＰＤＮ接続が確立されたセルから離れ得る。換言すると、ＵＥが接続モードに戻りたいという希望を示す場合、ＵＥは、前の進化型ノードＢ（ｅＮＢ）のカバレッジ外にあり得る。ＵＥは、アイドルモードにある間にもう一方のｅＮＢに向けて移動し得、起動して接続モードに戻った後で、ＵＥに対する新たなＰＤＮ接続へと切り替えるのに最適となり得る。この例において、ＰＤＮ接続要求は、ハンドオーバとではなく、むしろサービス要求手順と組み合わせられる。
【００８２】
作用１において、ユーザ機器（ＵＥ）は、ＮＡＳサービス要求メッセージを進化型ノードＢ（ｅＮＢ）８２０に送信することにより、サービス要求手順をトリガし得る。
【００８３】
作用２において、ｅＮＢ８２０は、［Ｓ１−ＭＭＥ］最初のＵＥメッセージにおけるＮＡＳサービス要求メッセージを、モビリティ管理エンティティ（ＭＭＥ）８３０に転送し得る。
【００８４】
作用３において、ＭＭＥ８３０は、ＵＥ８１０が前の位置から十分に離れ、従って、新たなＩＰアドレスの割り当てを正当することを判断し得る。ＭＭＥ８３０は、新たなＰＤＮ接続に対して新たなＰＧＷ８４０（又は新たなＬＧＷ）を選択し得る。１つの例において、ＰＧＷ８４０は、ＳＧＷと配置され得る。ＭＭＥ８３０は、［Ｓ１１］セッション作成手順を用いて、既存のＰＤＮ接続に対してターゲットＳＧＷ／ＰＧＷ８４０と新たなＳ１１セッションを確立し得る。ＭＭＥ８３０は、選択されたＰＧＷとの新たなＰＤＮ接続セッションの作成の埋め込み要求を含む作成要求メッセージを、ＳＧＷ／ＰＧＷ８４０に送信し得る。
【００８５】
作用４において、ＳＧＷ／ＰＧＷ８４０は、Ｓ１１セッション作成応答メッセージをＭＭＥ８３０に送信し得る。セッション作成応答メッセージは、古いＰＤＮ接続に対するＳ１１セッションの成功した転送、並びにＰＧＷと確立される新たなＰＤＮ接続に関する情報又はパラメータの両方を確認し得る。特に、セッション作成応答メッセージは、新たなＰＤＮ接続に対する割り当てられたＩＰアドレス又はプレフィックス（例えば、ＩＰ３）を含み得る。
【００８６】
作用５において、再認証がセキュリティの目的で行われ得る。
【００８７】
作用６において、ＭＭＥ８３０は、［Ｓ１‐ＡＰ］ベアラセットアップ要求メッセージをｅＮＢ８２０に送信し得る。ベアラセットアップ要求メッセージは、新たなＰＤＮ接続についての情報を含み得、その情報は、ＮＡＳメッセージとしてエンコードされ得る。ベアラセットアップ要求メッセージは、割り当てられたＩＰアドレス／プレフィックス（例えば、ＩＰ３）、ＥＰＳベアラアイデンティティ、ベアラのＥＰＳ  ＱｏＳ、アクセスポイント名（ＡＰＮ）、及び／又はプロトコル設定オプション（ＰＣＯ）パラメータを含み得る。１つの例において、ベアラセットアップ要求メッセージ内に埋め込まれるＮＡＳメッセージに含まれる情報は、［ＮＡＳ］有効化デフォルトベアラ要求メッセージと同様であり得る。加えて、ベアラセットアップ要求メッセージは、古いＰＤＮ接続及び新たなＰＤＮ接続（例えば、ＩＰ３）の両方に対する無線リソースに対する要求を含み得る。換言すると、ＭＭＥ８３０は、ＵＥ８１０が既に有するＰＤＮ接続に対するリソースを提供し得、新たなＰＤＮ接続に対するリソースを追加し得る。ハンドオーバ手順と同様に、前に説明されたように、リソースは、新たなＰＤＮ接続と置き換えられるＰＤＮ接続のおよそ２倍となり得る。
【００８８】
作用７において、ｅＮＢ８２０は、ＲＲＣ接続再設定メッセージをＵＥ８１０に送信し得る。新たなＰＤＮ接続についての情報（例えば、ＩＰ３）を含むＮＡＳメッセージは、ＲＲＣ接続再設定メッセージにおいてトランスペアレントにに伝達され得る。ＮＡＳメッセージは、新たなＰＤＮ接続の確立のために伝達され得る。換言すると、新たなＰＤＮ接続の確立を要求するＮＡＳメッセージは、ＲＲＣ接続再設定メッセージ上でピギーバックし得る。ＲＲＣ接続再設定メッセージは、新たに割り当てられたＩＰアドレス又はプレフィックス（例えば、ＩＰ３）を含み得る。加えて、作用１からの［ＮＡＳ］サービス要求メッセージは、作用７におけるユーザプレーンデータの確立により暗黙的に確認され得る。
【００８９】
作用８において、ＵＥ８１０は、新たなＰＤＮ接続を内部に作成し得る。ＵＥ８１０は、ＲＲＣ再構成完了メッセージをｅＮＢ８２０に送信し得る。ＲＲＣ再構成完了メッセージは、新たなＰＤＮ接続の確立を肯定応答するＮＡＳメッセージを、トランスペアレントに伝達し得る。ＮＡＳメッセージは、ＰＣＯパラメータのような他の関連情報を含み得る。ＮＡＳメッセージにおける情報は、ＮＡＳ有効化デフォルトベアラ受入メッセージにおける情報と同様であり得る。作用８の後で、新たなＰＤＮ接続（つまり、ＩＰ３）は動作可能となり得る。従って、ＵＥ８１０は、新たなＩＰアドレスプレフィックス（つまり、ＩＰ３）を容易に用い得る。
【００９０】
作用９において、ｅＮＢ８２０は、このカプセル化されたＮＡＳメッセージを含む［Ｓ１‐ＡＰ］ベアラセットアップ応答メッセージをＭＭＥ８３０に送信し得る。従って、ベアラセットアップ応答メッセージは、新たなＰＤＮ接続の確立の肯定応答を含み得る。
【００９１】
作用１０において、ＭＭＥ８３０は、［ＧＴＰ］セッション修正要求メッセージをＳＧＷ／ＰＧＷ８４０に送信し得る。ＭＭＥ８３０が新たなＳＧＷを割り当てることを決定する場合、ＭＭＥ８３０は、セッション修正要求メッセージを、選択されるＳＧＷ／ＰＧＷ８４０に送信し得、作用１１において、ＳＧＷ／ＰＧＷ８４０は、［ＧＴＰ］セッション修正応答メッセージをＭＭＥ８３０に送信し得る。
【００９２】
図９は、ユーザ機器（ＵＥ）に対するパケットデータネットワーク（ＰＤＮ）接続確立を含む例示的なハンドオーバ手順を示す。この構成において、モビリティ管理エンティティ（ＭＭＥ）は、ＰＤＮ接続確立を含むセッション管理機能に含まれない。加えて、セッション管理情報は、アクセス層シグナリングを用いて、つまり、ＭＭＥの関与なく、直接伝達され得る。
【００９３】
作用１において、ソース進化型ノードＢ（ｅＮＢ）９２０は、［Ｘ２］ハンドオーバ要求メッセージをターゲットｅＮＢ９３０に送信し得る。１つの構成において、ソースｅＮＢ９２０は、ＳＧＷ及びＬＧＷと配置され得、ターゲットｅＮＢ９３０は、ＳＧＷ及びＬＧＷと配置され得る。ソースｅＮＢ９２０は、ユーザ機器（ＵＥ）９１０から受信される測定に基づいて、ターゲットｅＮＢ９３０を選択し得る。ハンドオーバ要求メッセージは、既存のＰＤＮ接続に対する無線リソースを要求し得る。加えて、ハンドオーバ要求メッセージは、新たなＰＤＮ接続の作成を要求し得る。新たなＰＤＮ接続を作成する要求に対するハンドオーバ要求メッセージに含まれる情報は、［Ｓ５］セッション作成要求メッセージと同様であり得る。加えて、ハンドオーバ要求メッセージは、ターゲットｅＮＢ９３０でのＳＧＷと、ソースｅＮＢ９２０でのＬＧＷとの間のＳ５のようなインタフェースをインスタンス化するのに用いられる情報を含み得る。
【００９４】
作用２において、ターゲットｅＮＢ９３０でのＴ−ＬＧＷ機能は、新たなＰＤＮ接続に対するリソースを確保し得る。Ｔ−ＬＧＷ機能は、ターゲットｅＮＢ９３０に対してＰＧＷ機能を提供し得る。換言すると、ターゲットｅＮＢ９３０は、新たなＰＤＮ接続を作成し得る。ターゲットｅＮＢ９３０は、新たなＰＤＮ接続と関連付けられる、新たに割り当てられたＩＰアドレス／プレフィックス（例えば、ＩＰ３）を含む［Ｘ２］ハンドオーバ要求肯定応答メッセージを、ソースｅＮＢ９２０に送信し得る。
【００９５】
作用３において、ソースｅＮＢ９２０は、ＲＲＣ接続再設定メッセージをＵＥ９１０に送信し得る。ＲＲＣ接続再設定メッセージはまた、ハンドオーバコマンドメッセージと称され得る。新たなＰＤＮ接続に関連する追加の情報（例えば、ＩＰアドレス、ＡＰＮ、ＥＰＳ  ＱｏＳ、及び／又は任意選択のＰＣＯパラメータ）は、ＲＲＣ接続再設定メッセージにおいてトランスペアレントに伝達され得る。追加の情報は、ＲＲＣ接続再設定メッセージに埋め込まれるアクセス層メッセージとして含まれ得る。ＭＭＥ９４０は、ＰＤＮ接続確立に含まれないので、追加の情報は、非アクセス層（ＮＡＳ）メッセージとは対照的に、アクセス層メッセージに含まれ得る。
【００９６】
作用４において、ＵＥ９１０は新たなＰＤＮ接続を内部に作成し得、ターゲットｅＮＢ９３０へのハンドオーバに対するアクセス層手順を実行し得る。ＵＥ９１０は、ＲＲＣ接続再設定完了メッセージをターゲットｅＮＢ９３０に送信し得る。ＲＲＣ再構成完了メッセージは、新たなＰＤＮ接続に関連するセッション管理情報（例えば、任意選択のＰＣＯパラメータ）をトランスペアレントに伝達し得る。セッション管理情報は、ＲＲＣ接続再設定完了メッセージに埋め込まれるアクセス層メッセージとして含まれ得る。作用４の後で、ハンドオーバは、無線アクセスの視点から成功裏に完了し得る。
【００９７】
作用５において、ＵＥ９１０は、［Ｓ１‐ＡＰ］パス切り替え要求メッセージをＭＭＥ９４０に送信し得る。パス切り替え要求メッセージは、ＭＭＥ９４０に、ソースｅＮＢ９２０からターゲットｅＮＢ９３０へのパス切り替えに関して通知し得る。換言すると、ＵＥ９１０は、ＵＥ９１０が、ソースｅＮＢ９２０からターゲットｅＮＢ９３０に引き渡されたことを、ＭＭＥ９４０に通知し得る。
【００９８】
作用６において、ＭＭＥ９４０は、［Ｓ１‐ＡＰ］パス切り替え応答メッセージをターゲットｅＮＢ９３０に送信し得る。
【００９９】
作用７において、ターゲットｅＮＢ９３０は、［Ｘ２］リリースリソースメッセージを、ソースｅＮＢ９２０に送信し得る。リリースリソースメッセージは、ソースｅＮＢ９２０で、ＵＥ９１０に対する無線リソースのリリースをトリガし得る。ＵＥ９１０が、ターゲットｅＮＢ９３０に引き渡されるので、ソースｅＮＢ９２０は、もはやＵＥ９１０に対するリソースを維持する必要はない。加えて、古いＰＤＮ接続を保存する（つまり、メークビフォアブレーク接続を達成する）ために、リリースリソースメッセージは、ターゲットｅＮＢ９３０と配置されるＴ−ＳＧＷと、ソースｅＮＢ９２０と配置されるＳ−ＬＧＷとの間のＳ５のようなインタフェースをインスタンス化する情報を含み得る。換言すると、ＵＥのトラフィックが、古いＰＤＮ接続から新たなＰＤＮ接続に混乱なく移行し得るように、ＵＥ９１０は、古いＰＤＮ接続（つまり、ＩＰ２）のリリースの前に新たなＰＤＮ接続（つまり、ＩＰ３）を確立し得る。
【０１００】
別の例は、図１０においてフローチャートに示されるように、ハンドオーバ中に新たなパケットデータネットワーク（ＰＤＮ）接続を確立するよう動作可能なユーザ機器（ＵＥ）の機能１０００を提供する。機能は方法として実装され得、又は機能は機械上で複数の命令として実行され得、複数の命令は、少なくとも１つのコンピュータ可読媒体又は１つの非一時的機械可読記憶媒体に含まれる。ブロック１０１０にあるように、ＵＥは、ハンドオーバ手順中に無線基地局から無線リソース制御（ＲＲＣ）接続再設定メッセージを受信するように構成される１又は複数のプロセッサを含み得、ＲＲＣ接続再設定メッセージは、ＵＥとターゲットＰＤＮゲートウェイ（ＰＧＷ）との間に新たなＰＤＮ接続の確立の要求を含む。ブロック１０２０にあるように、ＵＥは、ＲＲＣ接続再設定メッセージに含まれる１又は複数のパラメータを用いて、ＵＥで、ターゲットＰＧＷとの新たなＰＤＮ接続を確立するように構成される１又は複数のプロセッサを含み得る。ブロック１０３０にあるように、ＵＥは、ハンドオーバ手順中に、新たなＰＤＮ接続の確立の肯定応答を含むＲＲＣ接続再設定完了メッセージを、ターゲット無線基地局に送信するように構成される１又は複数のプロセッサを含み得る。
【０１０１】
１つの例において、新たなＰＤＮ接続の確立の要求は、ＲＲＣ接続再設定メッセージに含まれる非アクセス層（ＮＡＳ）メッセージである。別の例において、新たなＰＤＮ接続の確立の肯定応答は、ＲＲＣ接続再設定完了メッセージに含まれる非アクセス層（ＮＡＳ）メッセージである。
【０１０２】
１つの例において、ＲＲＣ接続再設定メッセージに含まれる１又は複数のパラメータは、割り当てられたインターネットプロトコル（ＩＰ）アドレス又はプレフィックス、進化型パケットシステム（ＥＰＳ）ベアラアイデンティティ、ＥＰＳベアラのサービス品質（ＱｏＳ）、又はアクセスポイント名（ＡＰＮ）のうちの少なくとも１つを含む。別の例において、ＲＲＣ接続再設定メッセージに含まれる１又は複数のパラメータは、プロトコル設定オプション（ＰＣＯ）パラメータを含む。さらに別の例において、１又は複数のプロセッサは、ソース無線基地局と配置されるＰＧＷ機能を有するソースローカルゲートウェイ（ＬＧＷ）との前のＰＤＮ接続を維持する、又はスタンドアロンソースＰＧＷとの前のＰＤＮ接続を維持するように更に構成される。
【０１０３】
別の例は、図１１においてフローチャートに示されるように、サービス要求中に新たなパケットデータネットワーク（ＰＤＮ）接続を確立するよう動作可能なユーザ機器（ＵＥ）の機能１１００を提供する。機能は方法として実装され得、又は機能は機械上で複数の命令として実行され得、複数の命令は、少なくとも１つのコンピュータ可読媒体又は１つの非一時的機械可読記憶媒体に含まれる。ブロック１１１０にあるように、ＵＥは、サービス要求手順中に、無線基地局から無線リソース制御（ＲＲＣ）接続再設定メッセージを受信するように構成される１又は複数のプロセッサを含み得、ＲＲＣ接続再設定メッセージは、ＵＥとターゲットＰＤＮゲートウェイ（ＰＧＷ）との間に新たなＰＤＮ接続の確立の要求を含む。ブロック１１２０にあるように、ＵＥは、ＲＲＣ接続再設定メッセージに含まれる１又は複数のパラメータを用いて、ＵＥで、新たなＰＤＮ接続を確立するように構成される１又は複数のプロセッサを含み得る。ブロック１１３０にあるように、ＵＥは、サービス要求手順中に、新たなＰＤＮ接続の確立の肯定応答を含むＲＲＣ接続再設定完了メッセージを、無線基地局に送信するように構成される１又は複数のプロセッサを含み得る。
【０１０４】
１つの例において、１又は複数のプロセッサは、非アクセス層（ＮＡＳ）サービス要求メッセージを、無線基地局に送信することにより、サービス要求手順をトリガするように更に構成される。別の例において、新たなＰＤＮ接続の確立の要求は、ＲＲＣ接続再設定メッセージに含まれる非アクセス層（ＮＡＳ）メッセージである。
【０１０５】
１つの例において、新たなＰＤＮ接続の確立の肯定応答は、ＲＲＣ接続再設定完了メッセージに含まれる非アクセス層（ＮＡＳ）のメッセージである。別の例において、ＲＲＣ接続再設定メッセージに含まれる１又は複数のパラメータは、割り当てられたインターネットプロトコル（ＩＰ）アドレス又はプレフィックス、進化型パケットシステム（ＥＰＳ）ベアラアイデンティティ、ＥＰＳベアラのサービス品質（ＱｏＳ）、又はアクセスポイント名（ＡＰＮ）のうちの少なくとも１つを含む。
【０１０６】
別の例は、図１２においてフローチャートに示されるように、ハンドオーバ中にユーザ機器（ＵＥ）に対する新たなパケットデータネットワーク（ＰＤＮ）接続の確立を容易にするよう動作可能なモビリティ管理エンティティ（ＭＭＥ）の機能１２００を提供する。機能は方法として実装され得、又は機能は機械上で複数の命令として実行され得、複数の命令は、少なくとも１つのコンピュータ可読媒体又は１つの非一時的機械可読記憶媒体に含まれる。ブロック１２１０にあるように、ＭＭＥは、ソース無線基地局からハンドオーバ手順をトリガするハンドオーバ要請メッセージを、ＭＭＥで受信するように構成される１又は複数のプロセッサを含み得る。ブロック１２２０にあるように、ＭＭＥは、ハンドオーバ手順中に、ＵＥとターゲットＰＧＷとの間に新たなＰＤＮ接続を作成する要求を含むセッション作成要求メッセージをターゲットＰＤＮゲートウェイ（ＰＧＷ）に向けて送信するように構成される１又は複数のプロセッサを含み得る。ブロック１２３０にあるように、ＭＭＥは、ハンドオーバ手順に、新たなＰＤＮ接続の１又は複数のパラメータを含むセッション作成応答メッセージをターゲットＰＧＷから受信するように構成される１又は複数のプロセッサを含み得る。ブロック１２４０にあるように、ＭＭＥは、新たなＰＤＮ接続に対する無線リソースの要求を含むハンドオーバ要求メッセージを、ＭＭＥからターゲット無線基地局に送信するように構成される１又は複数のプロセッサを含み得る。ブロック１２５０にあるように、ＭＭＥは、ターゲット要求メッセージの肯定応答を、ターゲット無線基地局から受信するように構成される１又は複数のプロセッサを含み得る。ブロック１２６０にあるように、ＭＭＥは、新たなＰＤＮ接続に対する１又は複数のパラメータを含むハンドオーバコマンドメッセージを、ソース無線基地局に送信するように構成される１又は複数のプロセッサを含み得、ソース無線基地局は、ＵＥが、ターゲットＰＧＷと新たなＰＤＮ接続を確立することを可能とすべく、新たなＰＤＮ接続に対する１又は複数のパラメータを、ＵＥに転送する。
【０１０７】
１つの例において、新たなＰＤＮ接続に対する１又は複数のパラメータは、ハンドオーバコマンドメッセージに含まれる非アクセス層（ＮＡＳ）メッセージの一部である。別の例において、新たなＰＤＮ接続に対する１又は複数のパラメータは、割り当てられたインターネットプロトコル（ＩＰ）アドレス又はプレフィックス、進化型パケットシステム（ＥＰＳ）ベアラアイデンティティ、ＥＰＳベアラのサービス品質（ＱｏＳ）、又はアクセスポイント名（ＡＰＮ）のうちの少なくとも１つを含む。別の例において、１又は複数のプロセッサは、新たなＰＤＮ接続の確立の肯定応答を含むハンドオーバ通知メッセージを、ターゲット無線基地局から受信するように更に構成される。
【０１０８】
別の例は、図１３においてフローチャートに示されるように、ハンドオーバ中にユーザ機器（ＵＥ）に対する新たなパケットデータネットワーク（ＰＤＮ）接続の確立を容易にするよう動作可能なソース無線基地局の機能１３００を提供する。機能は方法として実装され得、又は機能は機械上で複数の命令として実行され得、複数の命令は、少なくとも１つのコンピュータ可読媒体又は１つの非一時的機械可読記憶媒体に含まれる。ブロック１３１０にあるように、ソース無線基地局は、ＵＥとターゲットＰＤＮゲートウェイ（ＰＧＷ）との間に新たなＰＤＮ接続を作成する要求を含むハンドオーバ要求メッセージを、ターゲット無線基地局に送信するように構成される１又は複数のプロセッサを含み得る。ブロック１３２０にあるように、ソース無線基地局は、新たなＰＤＮ接続に対する１又は複数のパラメータを含むハンドオーバ要求肯定応答メッセージを、ターゲット無線基地局から受信するように構成される１又は複数のプロセッサを含み得る。ブロック１３３０にあるように、ソース無線基地局は、ＵＥとターゲットＰＧＷとの間に新たなＰＤＮ接続の確立の要求を含む無線リソース制御（ＲＲＣ）接続再設定メッセージをＵＥに送信するように構成される１又は複数のプロセッサを含み得る。
【０１０９】
１つの例において、１又は複数のプロセッサは、ＵＥが、ＲＲＣ接続再設定メッセージに含まれる１又は複数のパラメータを用いて、ターゲットＰＧＷとの新たなＰＤＮ接続を作成し、アクセス層（ＡＳ）メッセージを用いて、新たなＰＤＮ接続の作成の肯定応答を、ターゲット無線基地局に送信することを可能とすべく、新たなＰＤＮ接続の確立の要求をＵＥに送信するように構成される。別の例において、ソース無線基地局は、ＰＧＷ機能を含むソースサービングゲートウェイ（ＳＧＷ）と配置される。
【０１１０】
１つの例において、１又は複数のプロセッサは、リリースリソースメッセージを、ターゲット無線基地局から受信するように更に構成され、リリースリソースメッセージは、ＵＥと、ソース無線基地局と配置されるＰＧＷ機能を有するソースローカルゲートウェイ（ＬＧＷ）との間に前のＰＤＮ接続を維持する情報を含む。別の例において、新たなＰＤＮ接続を作成する要求は、ＲＲＣ接続再設定メッセージに含まれる。さらに別の例において、ＲＲＣ接続再設定メッセージに含まれる１又は複数のパラメータは、割り当てられたインターネットプロトコル（ＩＰ）アドレス又はプレフィックス、進化型パケットシステム（ＥＰＳ）ベアラアイデンティティ、ＥＰＳベアラのサービス品質（ＱｏＳ）、又はアクセスポイント名（ＡＰＮ）のうちの少なくとも１つを含む。
【０１１１】
図１４は、ユーザ機器（ＵＥ）、移動局（ＭＳ）、移動無線デバイス、移動通信デバイス、タブレット、ハンドセット、又は他のタイプの無線デバイスのような無線デバイスの例示的な図を提供する。無線デバイスは、ノード、マクロノード、低電力ノード（ＬＰＮ）又は基地局（ＢＳ）のような送信局、進化型ノードB（ｅＮＢ）、ベースバンドユニット（ＢＢＵ）、リモートラジオヘッド（ＲＲＨ）、リモートラジオイクイップメント（ＲＲＥ）、中継局（ＲＳ）、ラジオイクイップメント（ＲＥ）又はその他のタイプのワイヤレスワイドエリアネットワーク（ＷＷＡＮ）アクセスポイントと通信するように構成される１又は複数のアンテナを含み得る。無線デバイスは、３ＧＰＰ  ＬＴＥ、ＷｉＭＡＸ（登録商標）、Ｈｉｇｈ  Ｓｐｅｅｄ  Ｐａｃｋｅｔ  Ａｃｃｅｓｓ（ＨＳＰＡ）、Ｂｌｕｅｔｏｏｔｈ（登録商標）、及びＷｉＦｉを含む少なくとも１つの無線通信規格を用いて通信するように構成され得る。無線デバイスは、無線通信規格毎に別個のアンテナを用いて、又は複数の無線通信規格用の共有アンテナを用いて通信し得る。無線デバイスは、無線ローカルエリアネットワーク（ＷＬＡＮ）、無線パーソナルエリアネットワーク（ＷＰＡＮ）、及び／又はＷＷＡＮにおいて通信し得る。
【０１１２】
図１４はまた、音声入力及び無線デバイスからの音声出力に用いられ得るマイク及び１又は複数のスピーカの図を提供する。ディスプレイスクリーンは、液晶ディスプレイ（ＬＣＤ）スクリーン、又は有機発光ダイオード（ＯＬＥＤ）ディスプレイのような他のタイプのディスプレイスクリーンであり得る。ディスプレイスクリーンはタッチスクリーンとして構成され得る。タッチスクリーンは、静電容量方式、抵抗方式、又は別のタイプのタッチスクリーン技術を用い得る。アプリケーションプロセッサ及びグラフィックスプロセッサは、処理及び表示能力を提供すべく内部メモリに結合され得る。不揮発性メモリポートも、データ入力／出力のオプションをユーザに提供するのに用いられ得る。不揮発性メモリポートは、無線デバイスのメモリ能力を拡張するのにも用いられ得る。キーボードは、追加のユーザ入力を提供すべく、無線デバイスと統合され得る、又は無線デバイスに無線で接続され得る。仮想キーボードも、タッチスクリーンを用いて提供され得る。
【０１１３】
様々な技術、あるいはそれらの特定の態様又は部分は、フロッピ（登録商標）ディスク、ＣＤ−ＲＯＭ、ハードドライブ、非一時的コンピュータ可読記憶媒体、又は任意の他の機械可読記憶媒体のような、有形の媒体に具現化されたプログラムコード（つまり、命令）の形態を取り得、コンピュータのような機械によって、プログラムコードが読み込まれて実行される場合、機械は様々な技術を実施する装置になる。回路は、ハードウェア、ファームウェア、プログラムコード、実行可能コード、コンピュータ命令、及び／又はソフトウェアを含み得る。非一時的コンピュータ可読記憶媒体は、信号を含まないコンピュータ可読記憶媒体であり得る。プログラマブルコンピュータ上のプログラムコード実行の場合、コンピューティングデバイスは、プロセッサ、プロセッサによる可読のストレージ媒体（揮発性及び不揮発性メモリ、及び／又はストレージエレメントを含む）、少なくとも１つの入力デバイス、及び少なくとも１つの出力デバイスを含み得る。揮発性及び不揮発性メモリ、及び／又はストレージエレメントは、ＲＡＭ、ＥＰＲＯＭ、フラッシュドライブ、光ドライブ、磁気ハードドライブ、ソリッドステートドライブ、又は電子データを格納する他の媒体であり得る。ノード及び無線デバイスは、送受信機モジュール、カウンタモジュール、処理モジュール、及び／又はクロックモジュール又はタイマモジュールも含み得る。本明細書に説明される様々な技術を実装又は利用し得る１又は複数のプログラムは、アプリケーションプログラミングインタフェース（ＡＰＩ）、再利用可能な制御等を用い得る。そのようなプログラムは、コンピュータシステムと通信すべく、高水準の手続き型又はオブジェクト指向のプログラミング言語を使って実装され得る。しかしながら、所望であれば、プログラムは、アセンブリ又は機械言語で実装され得る。いずれの場合も、言語はコンパイラ型又はインタプリタ型言語であり得、ハードウェア実装と組み合わせられ得る。
【０１１４】
本明細書で用いられるとき、プロセッサという用語は、汎用プロセッサ、ＶＬＳＩ、ＦＰＧＡ、又は他のタイプ専用プロセッサのような専用プロセッサ、並びに送受信機で無線通信を送信、受信、及び処理するのに用いられるベースバンドプロセッサを含み得る。
【０１１５】
本明細書で説明される機能ユニットの多くは、それらの実装の独立性を特に強調するために、モジュールとしてラベル付けされていることが理解されるべきである。例えば、モジュールは、カスタムＶＬＳＩ回路又はゲートアレイ、既製の半導体（ロジックチップ、トランジスタ、又は他のディスクリートコンポーネントのようなもの）を含むハードウェア回路として実装され得る。モジュールはまた、フィールドプログラマブルゲートアレイ、プログラマブルアレイロジック、プログラマブルロジックデバイス等のようなプログラマブルハードウェアデバイスに実装され得る。
【０１１６】
１つの例において、複数のハードウェア回路又は複数のプロセッサは本明細書に説明される複数の機能ユニットを実装するのに用いられ得る。例えば、第１のハードウェア回路又は第１のプロセッサは、動作の処理を実行するのに用いられ得、第２のハードウェア回路又は第２のプロセッサ（例えば、送受信機又はベースバンドプロセッサ）は、他のエンティティと通信するのに用いられ得る。第１のハードウェア回路及び第２のハードウェア回路は、単一のハードウェア回路に統合され得、又は代替的に、第１のハードウェア回路及び第２のハードウェア回路は、別個のハードウェア回路であり得る。
【０１１７】
モジュールはまた、様々なタイプのプロセッサにより実行されるソフトウェアにおいて実装され得る。実行可能コードの特定されたモジュールは、例えば、コンピュータ命令の１又は複数の物理あるいは論理ブロックを含み得、これらは例えば、オブジェクト、手順、又は機能として編成され得る。それでもなお、特定されたモジュールの実行ファイルは、物理的に共に位置付けられる必要はないが、これらが論理的に共に結合される場合、モジュールを含む異なる位置に格納された全く異なる命令を含み得、モジュールに対して定められた目的を達成し得る。
【０１１８】
実際に、実行可能コードのモジュールは、単一の命令又は多くの命令であり得、異なるプログラム中のいくつかの異なるコードセグメント上、及びいくつかのメモリデバイスにわたって分散されることさえあり得る。同様に、オペレーショナルデータは、モジュール内で特定されてここに示され得、任意の適切な形態で具現化され、任意の適切なタイプのデータ構造内に編成され得る。オペレーショナルデータは、単一のデータセットとして収集され得、又は異なるストレージデバイスを含む異なる位置にわたって分散され得、システム又はネットワーク上に単に電子信号として少なくとも部分的に存在し得る。所望の機能を実行するよう動作可能なエージェントを含むモジュールは、受動的又は能動的であり得る。
【０１１９】
本明細書を通じての「例」についての言及は、例に関連して説明された特定の特徴、構造、又は特性が本技術の少なくとも１つの実施形態に含まれることを意味する。従って、本明細書を通じて様々な箇所において「一例において」という表現の出現は、全て必ずしも同じ実施形態を指すとは限らない。
【０１２０】
本明細書に用いられるとき、複数のアイテム、構造要素、構成要素、及び／又は材料は便宜上、共通のリストに提示され得る。しかしながら、これらのリストは、当該リストの各部材が別個且つ一意の部材として個別に特定されるかのように解釈されるべきである。従って、そのようなリストの個々の部材は、反対のことの表示なく、共通のグループにおけるそれらの提示のみに基づいて、同じリストの任意の他の部材の事実上の同等物であると解釈されるべきではない。加えて、本明細書において、本技術の様々な実施形態及び実施例が、それらの様々なコンポーネントの代替的な例と共に言及され得る。そのような実施形態、実施例、代替的な例は、互いの事実上の同等物として解釈されないが、本技術の別個かつ自律的な表現として見なされるべきであることを理解されたい。
【０１２１】
更に、説明された特徴、構造、又は特性は、１又は複数の実施形態において、任意の適切なやり方で組み合わせられ得る。以下の説明において、技術の実施形態の完全な理解を提供すべく、レイアウト、距離の例、ネットワークの例などのような多数の特定の詳細が提供される。しかしながら当業者は、それらの特定の詳細のうちの１又は複数のものなく、若しくは、他の方法、コンポーネント、レイアウトなどを伴い、本技術が実施され得ることを理解されよう。他の例においては、本技術の態様を曖昧にすることを回避すべく、周知の構造、材料、又は動作が示されず、又は詳細に説明されていない。
【０１２２】
上述の例は、１又は複数の特定の適用における本技術の原理を例示するが、発明の才能の発揮なく、また、技術の原理及び概念から逸脱することなく実装の形態、使用、及び詳細における多数の変形が行われ得るであることが当業者には明らかであろう。従って、本技術が以下に記載される請求項以外によって限定されることは意図されていない。
【図１】
2017532826.tif 000003
【図２】
2017532826.tif 000004
【図３】
2017532826.tif 000005
【図４】
2017532826.tif 000006
【図５】
2017532826.tif 000007
【図６】
2017532826.tif 000008
【図７】
2017532826.tif 000009
【図８】
2017532826.tif 000010
【図９】
2017532826.tif 000011
【図１０】
2017532826.tif 000012
【図１１】
2017532826.tif 000013
【図１２】
2017532826.tif 000014
【図１３】
2017532826.tif 000015
【図１４】
2017532826.tif 000016
【国際調査報告】
2017532826.tif 000017
2017532826.tif 000018
2017532826.tif 000019
2017532826.tif 000020